(57)【要約】  本願の実施例は、チャネル及び/又は情報の伝送パラメータを合わせてチャネル及び/又は情報の伝送を行うことができる無線通信方法及びデバイスを提供する。当該方法は、端末デバイスが第１の時間ユニットにおいてネットワークデバイスに第１の上り制御情報及び第１の上りチャネルを送信する必要があると確定することと、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することとを含み、ここで、前記第１の上りチャネルは、前記第１の上り制御情報の以外の他の情報を搬送し、前記第１の上りチャネルを送信する時間領域リソースは、前記第１の上り制御情報を送信する時間領域リソースの少なくとも一部の時間領域リソースを含む。
2020526060.tif 000002
【特許請求の範囲】
【請求項１】
端末デバイスが第１の時間ユニットにおいてネットワークデバイスに第１の上り制御情報及び第１の上りチャネルを送信する必要があると確定することと、
前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することとを含み、
前記第１の上りチャネルは、前記第１の上り制御情報の以外の他の情報を搬送し、前記第１の上りチャネルを送信する時間領域リソースは、前記第１の上り制御情報を送信する時間領域リソースの少なくとも一部の時間領域リソースを含む
ことを特徴とする無線通信方法。
【請求項２】
前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、
少なくとも１セットの下り物理リソースで測定されたチャネル状態情報のうちの少なくとも１つを含む
ことを特徴とする請求項１に記載の無線通信方法。
【請求項３】
前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む
ことを特徴とする請求項２に記載の無線通信方法。
【請求項４】
前記伝送パラメータは、
伝送時間間隔ＴＴＩ、
サブキャリア間隔のうちの少なくとも１つを含む
ことを特徴とする請求項１〜３のいずれか１項に記載の無線通信方法。
【請求項５】
前記第１の上りチャネルが第１の上り共有チャネルであり、
又は、
前記第１の上りチャネルが第１の上り制御チャネルである
ことを特徴とする請求項１〜４のいずれか１項に記載の無線通信方法。
【請求項６】
確定された前記第１の時間ユニットに伝送されるチャネルは、第１の上りチャネル、及び／又は前記第１の上りチャネルの以外の第２の上り制御チャネルを含む
ことを特徴とする請求項１〜５のいずれか１項に記載の無線通信方法。
【請求項７】
確定された、前記第１の時間ユニットに伝送されるメッセージは、前記第１の上り制御情報又は第１のメッセージを含み、前記第１のメッセージは、前記第１の上り制御情報が示す内容に関連する内容を含む
ことを特徴とする請求項１〜６のいずれか１項に記載の無線通信方法。
【請求項８】
前記第１の上り制御情報が上り論理チャネルに対応するスケジューリング要求情報である場合、前記第１のメッセージが前記上り論理チャネルに対応するバッファー状態報告ＢＳＲメッセージである
ことを特徴とする請求項７に記載の無線通信方法。
【請求項９】
前記第１の上り制御情報が１つの伝送パラメータに対応する場合、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することは、  
前記第１の上り制御情報に対応する伝送パラメータと前記第１の上りチャネルの伝送パラメータとが第１の関係を満たしている場合、前記端末デバイスが第２の上り制御チャネルを介して前記第１の上り制御情報を伝送すると確定すること、
又は、
前記第１の上り制御情報に対応する伝送パラメータと前記第１の上りチャネルの伝送パラメータとが第２の関係を満たしている場合、前記端末デバイスが前記第１の上りチャネルを介して前記第１の上り制御情報又は前記第１のメッセージを伝送することを含む
ことを特徴とする請求項１〜８のいずれか１項に記載の無線通信方法。
【請求項１０】
前記第１の関係は、
前記第１の上り制御情報に対応する伝送時間間隔が前記第１の上りチャネルの伝送時間間隔よりも小さく、又は、
前記第１の上り制御情報に対応するサブキャリア間隔が前記第１の上りチャネルのサブキャリア間隔よりも大きいことである
ことを特徴とする請求項９に記載の無線通信方法。
【請求項１１】
前記第２の関係は、
前記第１の上り制御情報に対応する伝送時間間隔が前記第１の上りチャネルの伝送時間間隔の以上であり、又は、
前記第１の上り制御情報に対応するサブキャリア間隔が前記第１の上りチャネルのサブキャリア間隔の以下であることである
ことを特徴とする請求項９に記載の無線通信方法。
【請求項１２】
前記第１の上り制御情報が複数の伝送パラメータに対応する場合、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することは、
前記第１の上り制御情報に対応する前記複数の伝送パラメータ内の極値と前記第１の上りチャネルの伝送パラメータとが第３の関係を満たしている場合、前記端末デバイスが第２の上り制御チャネルを介して前記第１の上り制御情報を伝送すると確定すること、
又は、
前記第１の上り制御情報に対応する前記複数の伝送パラメータ内の前記極値と前記第１の上りチャネルの伝送パラメータとが第４の関係を満たしている場合、前記端末デバイスが前記第１の上りチャネルを介して前記第１の上り制御情報又は前記第１のメッセージを伝送することを含む
ことを特徴とする請求項１〜８のいずれか１項に記載の無線通信方法。
【請求項１３】
前記第３の関係は、
前記第１の上り制御情報に対応する複数の伝送時間間隔の極値が前記第１の上りチャネルの伝送時間間隔よりも小さく、又は、
前記第１の上り制御情報に対応するサブキャリア間隔の極値が前記第１の上りチャネルのサブキャリア間隔よりも大きいことである
ことを特徴とする請求項１２に記載の無線通信方法。
【請求項１４】
前記第４の関係は、
前記第１の上り制御情報に対応する伝送時間間隔の極値が前記第１の上りチャネルの伝送時間間隔の以上であり、又は、
前記第１の上り制御情報に対応するサブキャリア間隔の極値が前記第１の上りチャネルのサブキャリア間隔の以下であることである
ことを特徴とする請求項１２に記載の無線通信方法。
【請求項１５】
前記伝送パラメータが伝送時間間隔である場合、前記極値が前記複数の伝送時間間隔の最小値であり、又は、
前記伝送パラメータがサブキャリア間隔である場合、前記の極値が前記サブキャリア間隔の最大値である
ことを特徴とする請求項１３又は１４に記載の無線通信方法。
【請求項１６】
前記第１の上り制御情報が複数の伝送パラメータに対応する場合、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することは、
前記端末デバイスが第２の上り制御チャネルを介して前記第１の上り制御情報に含まれる第２の上り制御情報を伝送すると確定することと、
前記端末デバイスが前記第１の上りチャネルを介して前記第１の上り制御情報に含まれる第３の上り制御情報を伝送し又は第３のメッセージを伝送すると確定することとを含み、
前記第３のメッセージは、前記第３の上り制御情報が示す内容を含み、
前記第２の上り制御情報に対応する伝送パラメータと前記第１の上りチャネルの伝送パラメータとが第５の関係を満たしており、前記第３の上り制御情報に対応する伝送パラメータと前記第１の上りチャネルの伝送パラメータとが第６の関係を満たしている
ことを特徴とする請求項１〜８のいずれか１項に記載の無線通信方法。
【請求項１７】
前記第５の関係は、
前記第２の上り制御情報に対応する伝送時間間隔が前記第１の上りチャネルの伝送時間間隔よりも小さく、又は、
前記第２の上り制御情報に対応するサブキャリア間隔が前記第１の上りチャネルのサブキャリア間隔よりも大きいことを含む
ことを特徴とする請求項１６に記載の無線通信方法。
【請求項１８】
前記第６の関係は、
前記第３の上り制御情報に対応する伝送時間間隔が前記第１の上りチャネルの伝送時間間隔の以上であり、又は、
前記第３の上り制御情報に対応するサブキャリア間隔が前記第１の上りチャネルのサブキャリア間隔の以下であることを含む
ことを特徴とする請求項１６に記載の無線通信方法。
【請求項１９】
前記第１の上りチャネルが第１の時間領域リソースを占用して伝送を行い、前記第１の時間領域リソースは、前記第２の上り制御チャネルが占用する時間領域リソースを含まない
ことを特徴とする請求項６〜１８のいずれか１項に記載の無線通信方法。
【請求項２０】
ネットワークデバイスが第１の時間ユニットにおいて端末デバイスにより送信された第１の上り制御情報及び第１の上りチャネルを受信する必要があると確定することと、
前記第１の上り制御情報に対応する伝送パラメータ及び前記第１の上りチャネルの伝送パラメータに基づいて、前記ネットワークデバイスが前記第１の時間ユニットに受信されるチャネル及び/又は情報を確定することとを含み、
前記第１の上りチャネルは、前記第１の上り制御情報の以外の他の情報を搬送し、前記第１の上りチャネルの時間領域リソースは、前記第１の上り制御情報の時間領域リソースの少なくとも一部の時間領域リソースを含む
ことを特徴とする無線通信方法。
【請求項２１】
前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、
少なくとも１セットの下り物理リソースで測定されたチャネル状態情報のうちの少なくとも１つを含む
ことを特徴とする請求項２０に記載の無線通信方法。
【請求項２２】
前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む
ことを特徴とする請求項２１に記載の無線通信方法。
【請求項２３】
前記伝送パラメータは、
伝送時間間隔ＴＴＩ、
サブキャリア間隔のうちの少なくとも１つを含む
ことを特徴とする請求項２０〜２２のいずれか１項に記載の無線通信方法。
【請求項２４】
前記第１の上りチャネルが第１の上り共有チャネルであり、又は、
前記第１の上りチャネルが第１の上り制御チャネルである
ことを特徴とする請求項２０〜２３のいずれか１項に記載の無線通信方法。
【請求項２５】
確定された、前記第１の時間ユニットに受信されたチャネルは、第１の上りチャネル、及び／又は前記第１の上りチャネル以外の第２の上り制御チャネルを含む
ことを特徴とする請求項２０〜２４のいずれか１項に記載の無線通信方法。
【請求項２６】
確定された前記第１の時間ユニットに受信されたメッセージは、前記第１の上り制御情報又は第１のメッセージを含み、前記第１のメッセージは、前記第１の上り制御情報が示す内容に関連する内容を含む
ことを特徴とする請求項２０〜２５のいずれか１項に記載の無線通信方法。
【請求項２７】
前記第１の上り制御情報が上り論理チャネルに対応するスケジューリング要求情報である場合、前記第１のメッセージが前記上り論理チャネルに対応するバッファー状態報告ＢＳＲメッセージである
ことを特徴とする請求項２６に記載の無線通信方法。
【請求項２８】
前記第１の上り制御情報が１つの伝送パラメータに対応する場合、前記第１の上り制御情報に対応する伝送パラメータ及び前記第１の上りチャネルの伝送パラメータに基づいて、前記ネットワークデバイスが前記第１の時間ユニットに受信されるチャネル及び/又は情報を確定することは、  
前記第１の上り制御情報に対応する伝送パラメータと前記第１の上りチャネルの伝送パラメータとが第１の関係を満たしている場合、前記ネットワークデバイスが前記第２の制御チャネルに前記第１の上り制御情報を受信すると確定すること、
又は、
前記第１の上り制御情報に対応する伝送パラメータと前記第１の上りチャネルの伝送パラメータとが第２の関係を満たしている場合、前記ネットワークデバイスが前記第１の上りチャネルに前記第１の上り制御情報又は前記第１のメッセージを受信することを含む
ことを特徴とする請求項２０〜２７のいずれか１項に記載の無線通信方法。
【請求項２９】
前記第１の関係は、
前記第１の上り制御情報に対応する伝送時間間隔が前記第１の上りチャネルの伝送時間間隔よりも小さく、又は、
前記第１の上り制御情報に対応するサブキャリア間隔が前記第１の上りチャネルのサブキャリア間隔よりも大きいことである
ことを特徴とする請求項２８に記載の無線通信方法。
【請求項３０】
前記第２の関係は、
前記第１の上り制御情報に対応する伝送時間間隔が前記第１の上りチャネルの伝送時間間隔の以上であり、又は、
前記第１の上り制御情報に対応するサブキャリア間隔が前記第１の上りチャネルのサブキャリア間隔の以下であることである
ことを特徴とする請求項２８に記載の無線通信方法。
【請求項３１】
前記第１の上り制御情報が複数の伝送パラメータに対応する場合、前記第１の上り制御情報に対応する伝送パラメータ及び前記第１の上りチャネルの伝送パラメータに基づいて、前記ネットワークデバイスが前記第１の時間ユニットに受信されるチャネル及び/又は情報を確定することは、
前記第１の上り制御情報に対応する前記複数の伝送パラメータ内の極値と前記第１の上りチャネルの伝送パラメータとが第３の関係を満たしている場合、前記ネットワークデバイスが前記第２の制御チャネルに前記第１の上り制御情報を受信すると確定すること、
又は、
前記第１の上り制御情報に対応する前記複数の伝送パラメータ内の前記極値と前記第１の上りチャネルの伝送パラメータとが第４の関係を満たしている場合、前記ネットワークデバイスが前記第１の上りチャネルに前記第１の上り制御情報又は前記第１のメッセージを受信することを含む
ことを特徴とする請求項２０〜２７のいずれか１項に記載の無線通信方法。
【請求項３２】
前記第３の関係は、
前記第１の上り制御情報に対応する複数の伝送時間間隔の極値が前記第１の上りチャネルの伝送時間間隔よりも小さく、又は、
前記第１の上り制御情報に対応するサブキャリア間隔の極値が前記第１の上りチャネルのサブキャリア間隔よりも大きいことである
ことを特徴とする請求項３１に記載の無線通信方法。
【請求項３３】
前記第４の関係は、
前記第１の上り制御情報に対応する伝送時間間隔の極値が前記第１の上りチャネルの伝送時間間隔の以上であり、又は、
前記第１の上り制御情報に対応するサブキャリア間隔の極値が前記第１の上りチャネルのサブキャリア間隔の以下であることである
ことを特徴とする請求項３１に記載の無線通信方法。
【請求項３４】
前記伝送パラメータが伝送時間間隔である場合、前記極値が前記複数の伝送時間間隔の最小値であり、又は、
前記伝送パラメータがサブキャリア間隔である場合、前記の極値が前記サブキャリア間隔の最大値である
ことを特徴とする請求項３２又は３３に記載の無線通信方法。
【請求項３５】
前記第１の上り制御情報が複数の伝送パラメータに対応する場合、前記第１の上り制御情報に対応する伝送パラメータ及び前記第１の上りチャネルの伝送パラメータに基づいて、前記ネットワークデバイスが前記第１の時間ユニットに伝送されるチャネル及び/又は情報を確定することは、
前記ネットワークデバイスが第２の制御チャネルに前記第１の上り制御情報に含まれる第２の制御メッセージを受信すると確定することと、
前記ネットワークデバイスが前記第１の上りチャネルに前記第１の上り制御情報に含まれる第３の制御メッセージ、又は前記第１のメッセージを受信すると確定することとを含み、ここで、前記第１のメッセージは、前記第３の制御メッセージに関連するメッセージを含み、
ここで、前記第２の上り制御情報に対応する伝送パラメータと前記第１の上りチャネルの伝送パラメータとが第５の関係を満たしており、前記第３の上り制御情報に対応する伝送パラメータと前記第１の上りチャネルの伝送パラメータとが第６の関係を満たしている
ことを特徴とする請求項２０〜２７のいずれか１項に記載の無線通信方法。
【請求項３６】
前記第５の関係は、
前記第２の上り制御情報に対応する伝送時間間隔が前記第１の上りチャネルの伝送時間間隔よりも小さく、又は、
前記第２の上り制御情報に対応するサブキャリア間隔が前記第１の上りチャネルのサブキャリア間隔よりも大きいことを含む
ことを特徴とする請求項３５に記載の無線通信方法。
【請求項３７】
前記第６の関係は、
前記第３の上り制御情報に対応する伝送時間間隔が前記第１の上りチャネルの伝送時間間隔の以上であり、又は、
前記第３の上り制御情報に対応するサブキャリア間隔が前記第１の上りチャネルのサブキャリア間隔の以下であることを含む
ことを特徴とする請求項３５に記載の無線通信方法。
【請求項３８】
前記第１の上りチャネルは、第１の時間領域リソースにおいて受信し、前記第１の時間領域リソースは、前記第２の上り制御チャネルが占用する時間領域リソースを含まない
ことを特徴とする請求項２５〜３７のいずれか１項に記載の無線通信方法。
【請求項３９】
第１の確定ユニットと第２の確定ユニットを含む端末デバイスであって、
前記第１の確定ユニットは、第１の時間ユニットにおいてネットワークデバイスに第１の上り制御情報及び第１の上りチャネルを送信する必要があると確定するように構成され、
前記第１の上りチャネルは、前記第１の上り制御情報の以外の他の情報を搬送し、前記第１の上りチャネルを送信する時間領域リソースは、前記第１の上り制御情報を送信する時間領域リソースの少なくとも一部の時間領域リソースを含む、
前記第２の確定ユニットは、前記第１の上り制御情報に対応する伝送パラメータ及び前記第１の上りチャネルの伝送パラメータに基づいて、前記第１の時間ユニットに伝送されるチャネル及び/又は情報を確定するように構成される
ことを特徴とする端末デバイス。
【請求項４０】
前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、
少なくとも１セットの下り物理リソースで測定されたチャネル状態情報のうちの少なくとも１つを含む
ことを特徴とする請求項３９に記載の端末デバイス。
【請求項４１】
前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む
ことを特徴とする請求項４０に記載の端末デバイス。
【請求項４２】
前記伝送パラメータは、
伝送時間間隔ＴＴＩ、
サブキャリア間隔のうちの少なくとも１つを含む
ことを特徴とする請求項３９〜４１のいずれか１項に記載の端末デバイス。
【請求項４３】
前記第１の上りチャネルが第１の上り共有チャネルであり、又は、
前記第１の上りチャネルが第１の上り制御チャネルである
ことを特徴とする請求項３９〜４２のいずれか１項に記載の端末デバイス。
【請求項４４】
確定された前記第１の時間ユニットに伝送されるチャネルは、第１の上りチャネル、及び／又は前記第１の上りチャネルの以外の第２の上り制御チャネルを含む
ことを特徴とする請求項３９〜４３のいずれか１項に記載の端末デバイス。
【請求項４５】
確定された、前記第１の時間ユニットに伝送されるメッセージは、前記第１の上り制御情報又は第１のメッセージを含み、前記第１のメッセージは、前記第１の上り制御情報が示す内容に関連する内容を含む
ことを特徴とする請求項３９〜４４のいずれか１項に記載の端末デバイス。
【請求項４６】
前記第１の上り制御情報が上り論理チャネルに対応するスケジューリング要求情報である場合、前記第１のメッセージが前記上り論理チャネルに対応するバッファー状態報告ＢＳＲメッセージである
ことを特徴とする請求項４５に記載の端末デバイス。
【請求項４７】
前記第１の上り制御情報が１つの伝送パラメータに対応する場合、前記第２の確定ユニットは、さらに、
前記第１の上り制御情報に対応する伝送パラメータと前記第１の上りチャネルの伝送パラメータとが第１の関係を満たしている場合、第２の上り制御チャネルを介して前記第１の上り制御情報を伝送すると確定し、又は、
前記第１の上り制御情報に対応する伝送パラメータと前記第１の上りチャネルの伝送パラメータとが第２の関係を満たしている場合、前記第１の上りチャネルを介して前記第１の上り制御情報又は前記第１のメッセージを伝送すると確定するように構成される
ことを特徴とする請求項３９〜４６のいずれか１項に記載の端末デバイス。
【請求項４８】
前記第１の関係は、
前記第１の上り制御情報に対応する伝送時間間隔が前記第１の上りチャネルの伝送時間間隔よりも小さく、又は、
前記第１の上り制御情報に対応するサブキャリア間隔が前記第１の上りチャネルのサブキャリア間隔よりも大きいことである
ことを特徴とする請求項４７に記載の端末デバイス。
【請求項４９】
前記第２の関係は、
前記第１の上り制御情報に対応する伝送時間間隔が前記第１の上りチャネルの伝送時間間隔の以上であり、又は、
前記第１の上り制御情報に対応するサブキャリア間隔が前記第１の上りチャネルのサブキャリア間隔の以下であることである
ことを特徴とする請求項４７に記載の端末デバイス。
【請求項５０】
前記第１の上り制御情報が複数の伝送パラメータに対応する場合、前記第２の確定ユニットは、さらに、
前記第１の上り制御情報に対応する前記複数の伝送パラメータ内の極値と前記第１の上りチャネルの伝送パラメータとが第３の関係を満たしている場合、第２の上り制御チャネルを介して前記第１の上り制御情報を伝送すると確定し、又は、
前記第１の上り制御情報に対応する前記複数の伝送パラメータ内の前記極値と前記第１の上りチャネルの伝送パラメータとが第４の関係を満たしている場合、前記第１の上りチャネルを介して前記第１の上り制御情報又は前記第１のメッセージを伝送すると確定するように構成される
ことを特徴とする請求項３９〜４６のいずれか１項に記載の端末デバイス。
【請求項５１】
前記第３の関係は、
前記第１の上り制御情報に対応する複数の伝送時間間隔の極値が前記第１の上りチャネルの伝送時間間隔よりも小さく、又は、
前記第１の上り制御情報に対応するサブキャリア間隔の極値が前記第１の上りチャネルのサブキャリア間隔よりも大きいことである
ことを特徴とする請求項５０に記載の端末デバイス。
【請求項５２】
前記第４の関係は、
前記第１の上り制御情報に対応する伝送時間間隔の極値が前記第１の上りチャネルの伝送時間間隔の以上であり、又は、
前記第１の上り制御情報に対応するサブキャリア間隔の極値が前記第１の上りチャネルのサブキャリア間隔の以下であることである
ことを特徴とする請求項５０に記載の端末デバイス。
【請求項５３】
前記伝送パラメータが伝送時間間隔である場合、前記極値が前記複数の伝送時間間隔の最小値であり、又は、
前記伝送パラメータがサブキャリア間隔である場合、前記の極値が前記サブキャリア間隔の最大値である
ことを特徴とする請求項５１又は５２に記載の端末デバイス。
【請求項５４】
前記第１の上り制御情報が複数の伝送パラメータに対応する場合、
前記第２の確定ユニットは、さらに、
第２の上り制御チャネルを介して前記第１の上り制御情報に含まれる第２の上り制御情報を伝送すると確定し、
前記第１の上りチャネルを介して前記第１の上り制御情報に含まれる第３の上り制御情報又は第３のメッセージを伝送すると確定するように構成され、
前記第３のメッセージは、前記第３の上り制御情報が示す内容を含み、
ここで、前記第２の上り制御情報に対応する伝送パラメータと前記第１の上りチャネルの伝送パラメータとが第５の関係を満たしており、前記第３の上り制御情報に対応する伝送パラメータと前記第１の上りチャネルの伝送パラメータとが第６の関係を満たしている
ことを特徴とする請求項３９〜４６のいずれか１項に記載の端末デバイス。
【請求項５５】
前記第５の関係は、
前記第２の上り制御情報に対応する伝送時間間隔が前記第１の上りチャネルの伝送時間間隔よりも小さく、又は、
前記第２の上り制御情報に対応するサブキャリア間隔が前記第１の上りチャネルのサブキャリア間隔よりも大きいことを含む
ことを特徴とする請求項５４に記載の端末デバイス。
【請求項５６】
前記第６の関係は、
前記第３の上り制御情報に対応する伝送時間間隔が前記第１の上りチャネルの伝送時間間隔の以上であり、又は、
前記第３の上り制御情報に対応するサブキャリア間隔が前記第１の上りチャネルのサブキャリア間隔の以下であることを含む
ことを特徴とする請求項５４に記載の端末デバイス。
【請求項５７】
前記第１の上りチャネルが第１の時間領域リソースを占用して伝送を行い、前記第１の時間領域リソースは、前記第２の上り制御チャネルが占用する時間領域リソースを含まない
ことを特徴とする請求項４４〜５６のいずれか１項に記載の端末デバイス。
【請求項５８】
第１の確定ユニットと第２の確定ユニットを含むネットワークデバイスであって、
前記第１の確定ユニットは、第１の時間ユニットにおいて端末デバイスにより送信された第１の上り制御情報と第１の上りチャネルを受信する必要があると確定するように構成され、
前記第１の上りチャネルは、前記第１の上り制御情報の以外の他の情報を搬送し、前記第１の上りチャネルの時間領域リソースは、前記第１の上り制御情報の時間領域リソースの少なくとも一部の時間領域リソースを含み、
前記第２の確定ユニットは、前記第１の上り制御情報に対応する伝送パラメータ及び前記第１の上りチャネルの伝送パラメータに基づいて、前記第１の時間ユニットに受信されるチャネル及び/又は情報を確定するように構成される
ことを特徴とするネットワークデバイス。
【請求項５９】
前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、
少なくとも１セットの下り物理リソースで測定されたチャネル状態情報のうちの少なくとも１つを含む
ことを特徴とする請求項５８に記載のネットワークデバイス。
【請求項６０】
前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む
ことを特徴とする請求項５９に記載のネットワークデバイス。
【請求項６１】
前記伝送パラメータは、
伝送時間間隔ＴＴＩ、
サブキャリア間隔のうちの少なくとも１つを含む
ことを特徴とする請求項５８〜６０のいずれか１項に記載のネットワークデバイス。
【請求項６２】
前記第１の上りチャネルが第１の上り共有チャネルであり、又は、
前記第１の上りチャネルが第１の上り制御チャネルである
ことを特徴とする請求項５８〜６１のいずれか１項に記載のネットワークデバイス。
【請求項６３】
確定された、前記第１の時間ユニットに受信されたチャネルは、第１の上りチャネル、及び／又は前記第１の上りチャネル以外の第２の上り制御チャネルを含む
ことを特徴とする請求項５８〜６２のいずれか１項に記載のネットワークデバイス。
【請求項６４】
確定された前記第１の時間ユニットに受信されたメッセージは、前記第１の上り制御情報又は第１のメッセージを含み、前記第１のメッセージは、前記第１の上り制御情報が示す内容に関連する内容を含む
ことを特徴とする請求項５８〜６３のいずれか１項に記載のネットワークデバイス。
【請求項６５】
前記第１の上り制御情報が上り論理チャネルに対応するスケジューリング要求情報である場合、前記第１のメッセージが前記上り論理チャネルに対応するバッファー状態報告ＢＳＲメッセージである
ことを特徴とする請求項６４に記載のネットワークデバイス。
【請求項６６】
前記第１の上り制御情報が１つの伝送パラメータに対応する場合、前記第２の確定ユニットは、さらに、  
前記第１の上り制御情報に対応する伝送パラメータと前記第１の上りチャネルの伝送パラメータとが第１の関係を満たしている場合、前記第２の制御チャネルに前記第１の上り制御情報を受信し、又は、
前記第１の上り制御情報に対応する伝送パラメータと前記第１の上りチャネルの伝送パラメータとが第２の関係を満たしている場合、前記第１の上りチャネルに前記第１の上り制御情報又は前記第１のメッセージを受信するように構成される
ことを特徴とする請求項５８〜６５のいずれか１項に記載のネットワークデバイス。
【請求項６７】
前記第１の関係は、
前記第１の上り制御情報に対応する伝送時間間隔が前記第１の上りチャネルの伝送時間間隔よりも小さく、又は、
前記第１の上り制御情報に対応するサブキャリア間隔が前記第１の上りチャネルのサブキャリア間隔よりも大きいことである
ことを特徴とする請求項６６に記載のネットワークデバイス。
【請求項６８】
前記第２の関係は、
前記第１の上り制御情報に対応する伝送時間間隔が前記第１の上りチャネルの伝送時間間隔の以上であり、又は、
前記第１の上り制御情報に対応するサブキャリア間隔が前記第１の上りチャネルのサブキャリア間隔の以下であることである
ことを特徴とする請求項６６に記載のネットワークデバイス。
【請求項６９】
前記第１の上り制御情報が複数の伝送パラメータに対応する場合、前記第２の確定ユニットは、さらに、
前記第１の上り制御情報に対応する前記複数の伝送パラメータ内の極値と前記第１の上りチャネルの伝送パラメータとが第３の関係を満たしている場合、前記第２の制御チャネルに前記第１の上り制御情報を受信すると確定し、又は、
前記第１の上り制御情報に対応する前記複数の伝送パラメータ内の前記極値と前記第１の上りチャネルの伝送パラメータとが第４の関係を満たしている場合、前記第１の上りチャネルに前記第１の上り制御情報又は前記第１のメッセージを受信するように構成される
ことを特徴とする請求項５８〜６５のいずれか１項に記載のネットワークデバイス。
【請求項７０】
前記第３の関係は、
前記第１の上り制御情報に対応する複数の伝送時間間隔の極値が前記第１の上りチャネルの伝送時間間隔よりも小さく、又は、
前記第１の上り制御情報に対応するサブキャリア間隔の極値が前記第１の上りチャネルのサブキャリア間隔よりも大きいことである
ことを特徴とする請求項６９に記載のネットワークデバイス。
【請求項７１】
前記第４の関係は、
前記第１の上り制御情報に対応する伝送時間間隔の極値が前記第１の上りチャネルの伝送時間間隔の以上であり、又は、
前記第１の上り制御情報に対応するサブキャリア間隔の極値が前記第１の上りチャネルのサブキャリア間隔の以下であることである
ことを特徴とする請求項６９に記載のネットワークデバイス。
【請求項７２】
前記伝送パラメータが伝送時間間隔である場合、前記極値が前記複数の伝送時間間隔の最小値であり、又は、
前記伝送パラメータがサブキャリア間隔である場合、前記の極値が前記サブキャリア間隔の最大値である
ことを特徴とする請求項７０又は７１に記載のネットワークデバイス。
【請求項７３】
前記第１の上り制御情報が複数の伝送パラメータに対応する場合、前記第２の確定ユニットは、さらに、
第２の制御チャネルに前記第１の上り制御情報に含まれる第２の制御メッセージを受信すると確定し、
前記第１の上りチャネルに前記第１の上り制御情報に含まれる第３の制御メッセージ、又は前記第１のメッセージを受信すると確定するように構成され、
前記第１のメッセージは、前記第３の制御メッセージに関連するメッセージを含み、
前記第２の上り制御情報に対応する伝送パラメータと前記第１の上りチャネルの伝送パラメータとが第５の関係を満たしており、前記第３の上り制御情報に対応する伝送パラメータと前記第１の上りチャネルの伝送パラメータとが第６の関係を満たしている
ことを特徴とする請求項５８〜６５のいずれか１項に記載のネットワークデバイス。
【請求項７４】
前記第５の関係は、
前記第２の上り制御情報に対応する伝送時間間隔が前記第１の上りチャネルの伝送時間間隔よりも小さく、又は、
前記第２の上り制御情報に対応するサブキャリア間隔が前記第１の上りチャネルのサブキャリア間隔よりも大きいことを含む
ことを特徴とする請求項７３に記載のネットワークデバイス。
【請求項７５】
前記第６の関係は、
前記第３の上り制御情報に対応する伝送時間間隔が前記第１の上りチャネルの伝送時間間隔の以上であり、又は、
前記第３の上り制御情報に対応するサブキャリア間隔が前記第１の上りチャネルのサブキャリア間隔の以下であることを含む
ことを特徴とする請求項７３に記載のネットワークデバイス。
【請求項７６】
前記第１の上りチャネルは、第１の時間領域リソースにおいて受信し、前記第１の時間領域リソースは、前記第２の上り制御チャネルが占用する時間領域リソースを含まない
ことを特徴とする請求項６３〜７５のいずれか１項に記載のネットワークデバイス。
【発明の詳細な説明】
【技術分野】
【０００１】
本願は、通信分野に関し、具体的に、無線通信方法及びデバイスに関する。
【背景技術】
【０００２】
新規無線( Ｎｅｗ Ｒａｄｉｏ、ＮＲ )システムにおいて、同一端末は、異なるチャネル及び/又は情報に対して、異なる伝送パラメータを採用してもよく、又は、同じ伝送パラメータを採用してもよく、該伝送パラメータは、例えば、伝送時間間隔(  Ｔｒａｎｓｍｉｓｓｉｏｎ  Ｔｉｍｅ  Ｉｎｔｅｒｖａｌ、ＴＴＩ )又はサブキャリア間隔等であってもよい。
【０００３】
異なるチャネル及び/又は情報に対して、チャネル及び/又は情報の伝送パラメータをどのように結合してチャネル及び/又は情報の伝送を行うことは、解決すべき課題である。
【発明の概要】
【０００４】
本願の実施例は、チャネル及び/又は情報の伝送パラメータと組み合わせて、チャネル及び/又は情報の伝送を行うことができる無線通信方法及びデバイスを提供する。
【０００５】
第１の形態は、無線通信方法を提供し、
端末デバイスが第１の時間ユニットにおいてネットワークデバイスに第１の上り制御情報及び第１の上りチャネルを送信する必要があると確定することと、
前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することとを含み、
前記第１の上りチャネルは、前記第１の上り制御情報の以外の他の情報を搬送し、前記第１の上りチャネルを送信する時間領域リソースは、前記第１の上り制御情報を送信する時間領域リソースの少なくとも一部の時間領域リソースを含む。
【０００６】
第１の形態と結合し、第１の形態の実現可能な方式において、前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、
少なくとも１セットの下り物理リソースで測定されたチャネル状態情報のうちの少なくとも１つを含む。
【０００７】
第１の形態又は上記の実現可能な形式と結合し、第１の形態の他の実現可能な方式において、前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む。
【０００８】
第１の形態又は上記の実現可能な形式と結合し、第１の形態の他の実現可能な方式において、前記伝送パラメータは、
伝送時間間隔ＴＴＩ、
サブキャリア間隔のうちの少なくとも１つを含む。
【０００９】
第１の形態又は上記の実現可能な形式と結合し、第１の形態の他の実現可能な方式において、前記第１の上りチャネルが第１の上り共有チャネルであり、又は、
前記第１の上りチャネルが第１の上り制御チャネルである。
【００１０】
第１の形態又は上記の実現可能な形式と結合し、第１の形態の他の実現可能な方式において、確定された前記第１の時間ユニットに伝送されるチャネルは、第１の上りチャネル、及び／又は前記第１の上りチャネルの以外の第２の上り制御チャネルを含む。
【００１１】
第１の形態又は上記の実現可能な形式と結合し、第１の形態の他の実現可能な方式において、確定された、前記第１の時間ユニットに伝送されるメッセージは、前記第１の上り制御情報又は第１のメッセージを含み、前記第１のメッセージは、前記第１の上り制御情報が示す内容に関連する内容を含む。
【００１２】
第１の形態又は上記の実現可能な形式と結合し、第１の形態の他の実現可能な方式において、前記第１の上り制御情報が上り論理チャネルに対応するスケジューリング要求情報である場合、前記第１のメッセージが前記上り論理チャネルに対応するバッファー状態報告ＢＳＲメッセージである。
【００１３】
第１の形態又は上記の実現可能な形式と結合し、第１の形態の他の実現可能な方式において、前記第１の上り制御情報が１つの伝送パラメータに対応する場合、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することは、  
前記第１の上り制御情報に対応する伝送パラメータと前記第１の上りチャネルの伝送パラメータとが第１の関係を満たしている場合、前記端末デバイスが第２の上り制御チャネルを介して前記第１の上り制御情報を伝送すると確定すること、又は、
前記第１の上り制御情報に対応する伝送パラメータと前記第１の上りチャネルの伝送パラメータとが第２の関係を満たしている場合、前記端末デバイスが前記第１の上りチャネルを介して前記第１の上り制御情報又は前記第１のメッセージを伝送することを含む。
【００１４】
第１の形態又は上記の実現可能な形式と結合し、第１の形態の他の実現可能な方式において、前記第１の関係は、
前記第１の上り制御情報に対応する伝送時間間隔が前記第１の上りチャネルの伝送時間間隔よりも小さく、又は、
前記第１の上り制御情報に対応するサブキャリア間隔が前記第１の上りチャネルのサブキャリア間隔よりも大きいことである。
【００１５】
第１の形態又は上記の実現可能な形式と結合し、第１の形態の他の実現可能な方式において、前記第２の関係は、
前記第１の上り制御情報に対応する伝送時間間隔が前記第１の上りチャネルの伝送時間間隔の以上であり、又は、
前記第１の上り制御情報に対応するサブキャリア間隔が前記第１の上りチャネルのサブキャリア間隔の以下であることである。
【００１６】
第１の形態又は上記の実現可能な形式と結合し、第１の形態の他の実現可能な方式において、前記第１の上り制御情報が複数の伝送パラメータに対応する場合、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することは、
前記第１の上り制御情報に対応する前記複数の伝送パラメータ内の極値と前記第１の上りチャネルの伝送パラメータとが第３の関係を満たしている場合、前記端末デバイスが第２の上り制御チャネルを介して前記第１の上り制御情報を伝送すると確定すること、又は、
前記第１の上り制御情報に対応する前記複数の伝送パラメータ内の前記極値と前記第１の上りチャネルの伝送パラメータとが第４の関係を満たしている場合、前記端末デバイスが前記第１の上りチャネルを介して前記第１の上り制御情報又は前記第１のメッセージを伝送することを含む。
【００１７】
第１の形態又は上記の実現可能な形式と結合し、第１の形態の他の実現可能な方式において、前記第３の関係は、
前記第１の上り制御情報に対応する複数の伝送時間間隔の極値が前記第１の上りチャネルの伝送時間間隔よりも小さく、又は、
前記第１の上り制御情報に対応するサブキャリア間隔の極値が前記第１の上りチャネルのサブキャリア間隔よりも大きいことである。
【００１８】
第１の形態又は上記の実現可能な形式と結合し、第１の形態の他の実現可能な方式において、前記第４の関係は、
前記第１の上り制御情報に対応する伝送時間間隔の極値が前記第１の上りチャネルの伝送時間間隔の以上であり、又は、
前記第１の上り制御情報に対応するサブキャリア間隔の極値が前記第１の上りチャネルのサブキャリア間隔の以下であることである。
【００１９】
第１の形態又は上記の実現可能な形式と結合し、第１の形態の他の実現可能な方式において、
前記伝送パラメータが伝送時間間隔である場合、前記極値が前記複数の伝送時間間隔の最小値であり、又は、
前記伝送パラメータがサブキャリア間隔である場合、前記の極値が前記サブキャリア間隔の最大値である。
【００２０】
第１の形態又は上記の実現可能な形式と結合し、第１の形態の他の実現可能な方式において、前記第１の上り制御情報が複数の伝送パラメータに対応する場合、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することは、
前記端末デバイスが第２の上り制御チャネルを介して前記第１の上り制御情報に含まれる第２の上り制御情報を伝送すると確定することと、
前記端末デバイスが前記第１の上りチャネルを介して前記第１の上り制御情報に含まれる第３の上り制御情報を伝送し又は第３のメッセージを伝送すると確定することとを含み、前記第３のメッセージは、前記第３の上り制御情報が示す内容を含み、
ここで、前記第２の上り制御情報に対応する伝送パラメータと前記第１の上りチャネルの伝送パラメータとが第５の関係を満たしており、前記第３の上り制御情報に対応する伝送パラメータと前記第１の上りチャネルの伝送パラメータとが第６の関係を満たしている。
【００２１】
第１の形態又は上記の実現可能な形式と結合し、第１の形態の他の実現可能な方式において、前記第５の関係は、
前記第２の上り制御情報に対応する伝送時間間隔が前記第１の上りチャネルの伝送時間間隔よりも小さく、又は、
前記第２の上り制御情報に対応するサブキャリア間隔が前記第１の上りチャネルのサブキャリア間隔よりも大きいことを含む。
【００２２】
第１の形態又は上記の実現可能な形式と結合し、第１の形態の他の実現可能な方式において、前記第６の関係は、
前記第３の上り制御情報に対応する伝送時間間隔が前記第１の上りチャネルの伝送時間間隔の以上であり、又は、
前記第３の上り制御情報に対応するサブキャリア間隔が前記第１の上りチャネルのサブキャリア間隔の以下であることを含む。
【００２３】
第１の形態又は上記の実現可能な形式と結合し、第１の形態の他の実現可能な方式において、前記第１の上りチャネルが第１の時間領域リソースを占用して伝送を行い、前記第１の時間領域リソースは、前記第２の上り制御チャネルが占用する時間領域リソースを含まない。
【００２４】
第２の形態は、無線通信方法を提供し、
ネットワークデバイスが第１の時間ユニットにおいて端末デバイスにより送信された第１の上り制御情報及び第１の上りチャネルを受信する必要があると確定することと、
前記第１の上り制御情報に対応する伝送パラメータ及び前記第１の上りチャネルの伝送パラメータに基づいて、前記ネットワークデバイスが前記第１の時間ユニットに受信されるチャネル及び/又は情報を確定することとを含み、
前記第１の上りチャネルは、前記第１の上り制御情報の以外の他の情報を搬送し、前記第１の上りチャネルの時間領域リソースは、前記第１の上り制御情報の時間領域リソースの少なくとも一部の時間領域リソースを含む。
【００２５】
第２の形態と結合し、第２の形態の実現の可能な方式において、前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、
少なくとも１セットの下り物理リソースで測定されたチャネル状態情報のうちの少なくとも１つを含む。
【００２６】
第２の形態又は上記の実現可能な形式と結合し、第２の形態の他の実現可能な方式において、前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む。
【００２７】
第２の形態又は上記の実現可能な形式と結合し、第２の形態の他の実現可能な方式において、前記伝送パラメータは、
伝送時間間隔ＴＴＩ、
サブキャリア間隔のうちの少なくとも１つを含む。
【００２８】
第２の形態又は上記の実現可能な形式と結合し、第２の形態の他の実現可能な方式において、前記第１の上りチャネルが第１の上り共有チャネルであり、又は、
前記第１の上りチャネルが第１の上り制御チャネルである。
【００２９】
第２の形態又は上記の実現可能な形式と結合し、第２の形態の他の実現可能な方式において、確定された、前記第１の時間ユニットに受信されたチャネルは、第１の上りチャネル、及び／又は前記第１の上りチャネル以外の第２の上り制御チャネルを含む。
【００３０】
第２の形態又は上記の実現可能な形式と結合し、第２の形態の他の実現可能な方式において、確定された前記第１の時間ユニットに受信されたメッセージは、前記第１の上り制御情報又は第１のメッセージを含み、前記第１のメッセージは、前記第１の上り制御情報が示す内容に関連する内容を含む。
【００３１】
第２の形態又は上記の実現可能な形式と結合し、第２の形態の他の実現可能な方式において、前記第１の上り制御情報が上り論理チャネルに対応するスケジューリング要求情報である場合、前記第１のメッセージが前記上り論理チャネルに対応するバッファー状態報告ＢＳＲメッセージである。
【００３２】
第２の形態又は上記の実現可能な形式と結合し、第２の形態の他の実現可能な方式において、前記第１の上り制御情報が１つの伝送パラメータに対応する場合、前記第１の上り制御情報に対応する伝送パラメータ及び前記第１の上りチャネルの伝送パラメータに基づいて、前記ネットワークデバイスが前記第１の時間ユニットに受信されるチャネル及び/又は情報を確定することは、  
前記第１の上り制御情報に対応する伝送パラメータと前記第１の上りチャネルの伝送パラメータとが第１の関係を満たしている場合、前記ネットワークデバイスが前記第２の制御チャネルに前記第１の上り制御情報を受信すると確定すること、又は、
前記第１の上り制御情報に対応する伝送パラメータと前記第１の上りチャネルの伝送パラメータとが第２の関係を満たしている場合、前記ネットワークデバイスが前記第１の上りチャネルに前記第１の上り制御情報又は前記第１のメッセージを受信することを含む。
【００３３】
第２の形態又は上記の実現可能な形式と結合し、第２の形態の他の実現可能な方式において、前記第１の関係は、
前記第１の上り制御情報に対応する伝送時間間隔が前記第１の上りチャネルの伝送時間間隔よりも小さく、又は、
前記第１の上り制御情報に対応するサブキャリア間隔が前記第１の上りチャネルのサブキャリア間隔よりも大きいことである。
【００３４】
第２の形態又は上記の実現可能な形式と結合し、第２の形態の他の実現可能な方式において、前記第２の関係は、
前記第１の上り制御情報に対応する伝送時間間隔が前記第１の上りチャネルの伝送時間間隔の以上であり、又は、
前記第１の上り制御情報に対応するサブキャリア間隔が前記第１の上りチャネルのサブキャリア間隔の以下であることである。
【００３５】
第２の形態又は上記の実現可能な形式と結合し、第２の形態の他の実現可能な方式において、前記第１の上り制御情報が複数の伝送パラメータに対応する場合、前記第１の上り制御情報に対応する伝送パラメータ及び前記第１の上りチャネルの伝送パラメータに基づいて、前記ネットワークデバイスが前記第１の時間ユニットに受信されるチャネル及び/又は情報を確定することは、
前記第１の上り制御情報に対応する前記複数の伝送パラメータ内の極値と前記第１の上りチャネルの伝送パラメータとが第３の関係を満たしている場合、前記ネットワークデバイスが前記第２の制御チャネルに前記第１の上り制御情報を受信すると確定すること、又は、
前記第１の上り制御情報に対応する前記複数の伝送パラメータ内の前記極値と前記第１の上りチャネルの伝送パラメータとが第４の関係を満たしている場合、前記ネットワークデバイスが前記第１の上りチャネルに前記第１の上り制御情報又は前記第１のメッセージを受信することを含む。
【００３６】
第２の形態又は上記の実現可能な形式と結合し、第２の形態の他の実現可能な方式において、前記第３の関係は、
前記第１の上り制御情報に対応する複数の伝送時間間隔の極値が前記第１の上りチャネルの伝送時間間隔よりも小さく、又は、
前記第１の上り制御情報に対応するサブキャリア間隔の極値が前記第１の上りチャネルのサブキャリア間隔よりも大きいことである。
【００３７】
第２の形態又は上記の実現可能な形式と結合し、第２の形態の他の実現可能な方式において、前記第４の関係は、
前記第１の上り制御情報に対応する伝送時間間隔の極値が前記第１の上りチャネルの伝送時間間隔の以上であり、又は、
前記第１の上り制御情報に対応するサブキャリア間隔の極値が前記第１の上りチャネルのサブキャリア間隔の以下であることである。
【００３８】
第２の形態又は上記の実現可能な形式と結合し、第２の形態の他の実現可能な方式において、
前記伝送パラメータが伝送時間間隔である場合、前記極値が前記複数の伝送時間間隔の最小値であり、又は、
前記伝送パラメータがサブキャリア間隔である場合、前記の極値が前記サブキャリア間隔の最大値である。
【００３９】
第２の形態又は上記の実現可能な形式と結合し、第２の形態の他の実現可能な方式において、前記第１の上り制御情報が複数の伝送パラメータに対応する場合、前記第１の上り制御情報に対応する伝送パラメータ及び前記第１の上りチャネルの伝送パラメータに基づいて、前記ネットワークデバイスが前記第１の時間ユニットに伝送されるチャネル及び/又は情報を確定することは、
前記ネットワークデバイスが第２の制御チャネルに前記第１の上り制御情報に含まれる第２の制御メッセージを受信すると確定することと、
前記ネットワークデバイスが前記第１の上りチャネルに前記第１の上り制御情報に含まれる第３の制御メッセージ、又は前記第１のメッセージを受信すると確定することとを含み、ここで、前記第１のメッセージは、前記第３の制御メッセージに関連するメッセージを含み、
ここで、前記第２の上り制御情報に対応する伝送パラメータと前記第１の上りチャネルの伝送パラメータとが第５の関係を満たしており、前記第３の上り制御情報に対応する伝送パラメータと前記第１の上りチャネルの伝送パラメータとが第６の関係を満たしている。
【００４０】
第２の形態又は上記の実現可能な形式と結合し、第２の形態の他の実現可能な方式において、前記第５の関係は、
前記第２の上り制御情報に対応する伝送時間間隔が前記第１の上りチャネルの伝送時間間隔よりも小さく、又は、
前記第２の上り制御情報に対応するサブキャリア間隔が前記第１の上りチャネルのサブキャリア間隔よりも大きいことを含む。
【００４１】
第２の形態又は上記の実現可能な形式と結合し、第２の形態の他の実現可能な方式において、前記第６の関係は、
前記第３の上り制御情報に対応する伝送時間間隔が前記第１の上りチャネルの伝送時間間隔の以上であり、又は、
前記第３の上り制御情報に対応するサブキャリア間隔が前記第１の上りチャネルのサブキャリア間隔の以下であることを含む。
【００４２】
第２の形態又は上記の実現可能な形式と結合し、第２の形態の他の実現可能な方式において、前記第１の上りチャネルは、第１の時間領域リソースにおいて受信し、前記第１の時間領域リソースは、前記第２の上り制御チャネルが占用する時間領域リソースを含まない。
【００４３】
第３の態様は、上記の第１の態様または第１の態様の任意の可能な実装における方法を実行するための端末デバイスを提供する。具体的には、端末デバイスは、上記の第１の態様または第１の態様の任意の可能な実装形態における方法を実行するための機能モジュールを含む。
【００４４】
第４の態様は、上記の第２の態様または第２の態様の任意の可能な実装における方法を実行するためのネットワークデバイスを提供する。特に、ネットワークデバイスは、上記の第２の態様または第２の態様の任意の可能な実装形態における方法を実行するための機能モジュールを含む。
【００４５】
第５の態様は、プロセッサと、メモリと、送受信機とを含む端末デバイスを提供する。プロセッサ、メモリ、および送受信機は、内部接続経路を介して互いに通信し、制御信号および/またはデータ信号を通信し、ネットワークデバイスに、上記の第１の態様または第１の態様の可能な実装形態のいずれかにおける方法を実行させる。
【００４６】
第６の態様では、プロセッサと、メモリと、送受信機とを含むネットワークデバイスが提供される。プロセッサ、メモリ、および送受信機は、内部接続経路を介して互いに通信し、制御信号および/またはデータ信号を通信し、ネットワークデバイスに、上記の第２の態様または第２の態様の可能な実装のいずれかにおける方法を実行させる。
【００４７】
第７の態様は、上記の第１の態様または第１の態様の任意の可能な実装を実行するための命令を含むコンピュータプログラムを記憶するためのコンピュータ可読媒体を提供する。
【００４８】
第８の態様は、上述の第２の態様または第２の態様の任意の可能な実装を実行するための命令を含むコンピュータプログラムを記憶するためのコンピュータ可読媒体を提供する。
【００４９】
第９の態様は、命令を備えるコンピュータプログラム製品を提供し、コンピュータ上で実行されると、コンピュータに、上述の第１の態様もしくは第１の態様の任意の１つの代替的な実装、または第２の態様もしくは第２の態様の任意の１つの代替的な実装における方法を実行させる。
【００５０】
このように、本発明の実施例では、端末デバイスが、第１の時間ユニットで伝送される必要がある第１の上り制御情報に対応する伝送パラメータと、第１の上りチャネルの伝送パラメータとに基づいて、第１の時間ユニットで伝送されるチャネル及び/又は情報を決定するようにしたので、時間ユニットで伝送されるチャネル及び/又は情報が、伝送される必要があるチャネル及び/又は情報の伝送パラメータに合わせて決定されるので、適切なチャネル及び/又は情報を選択して送信することができる。
【図面の簡単な説明】
【００５１】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例における無線通信方法のフローチャートである。
【図４】本願の実施例における端末デバイスのブロック図である。
【図５】本願の実施例におけるネットワークデバイスのブロック図である。
【図６】本願の実施例におけるシステムチップのブロック図である。
【図７】本願の実施例における通信デバイスのブロック図である。
【発明を実施するための形態】
【００５２】
以下、本技術の実施の形態について図面を参照して説明するが、本技術の実施の形態は、この実施の形態に限定されるものではなく、本技術の要旨を逸脱しない範囲において種々の変更が可能である。本発明の範囲から逸脱することなく、本発明の実施例に基づいて当業者等によりなされた他の実施例はすべて本発明の範囲に含まれる。
【００５３】
本願の実施例の技術的解決策は、例えば、グローバル移動通信( Ｇｌｏｂａｌ Ｓｙｓｔｅｍ ｏｆ Ｍｏｂｉｌｅ Ｃｏｍｍｕｎｉｃａｔｉｏｎ：ＧＳＭ )システム、符号分割多元接続( Ｃｏｄｅ Ｄｉｖｉｓｉｏｎ Ｍｕｌｔｉｐｌｅ Ａｃｃｅｓｓ：ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )システム、汎用パケット無線サービス( Ｇｅｎｅｒａｌ Ｐａｃｋｅｔ Ｒａｄｉｏ Ｓｅｒｖｉｃｅ：ＧＰＲＳ )、ロングタームエボリューション( Ｌｏｎｇ Ｔｅｒｍ Ｅｖｏｌｕｔｉｏｎ：ＬＴＥ )システム、ＬＴＥ周波数分割複信( Ｆｒｅｑｕｅｎｃｙ Ｄｉｖｉｓｉｏｎ Ｄｕｐｌｅｘ：ＦＤＤ )システム、ＬＴＥ時分割複信( Ｔｉｍｅ Ｄｉｖｉｓｉｏｎ Ｄｕｐｌｅｘ：ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ：ＵＭＴＳ )、又はグローバル相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ：ＷｉＭＡＸ )通信システム、及び将来生じ得る５Ｇ（Ｎｅｗ Ｒａｄｉｏ：ＮＲ）システムに適用され得ることが理解されるべきである。
【００５４】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ：ＢＴＳ )、ＷＣＤＭＡシステムにおける基地局( ＮｏｄｅＢ：ＮＢ )、ＬＴＥシステムにおける発展型基地局( Ｅｖｏｌｕｔｉｏｎａｌ Ｎｏｄｅ Ｂ：ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ：ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ：ＰＬＭＮ )におけるネットワークデバイスなどであってもよい。
【００５５】
当該無線通信システム１００は、ネットワークデバイス１１０のカバレージ内に配置された少なくとも１つの端末デバイス１２０をさらに含む。端末デバイス１２０は、移動型であってもよく、固定型であってもよい。任意選択で、端末デバイス１２０は、アクセス端末、ユーザ機器( Ｕｓｅｒ Ｅｑｕｉｐｍｅｎｔ：ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ )電話、ワイヤレスローカルループ( Ｗｉｒｅｌｅｓｓ Ｌｏｃａｌ Ｌｏｏｐ：ＷＬＬ )局、パーソナルデジタル処理( Ｐｅｒｓｏｎａｌ Ｄｉｇｉｔａｌ Ａｓｓｉｓｔａｎｔ：ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５６】
任意選択で、端末デバイス１２０間の端末直接接続( Ｄｅｖｉｃｅ ｔｏ Ｄｅｖｉｃｅ：Ｄ２Ｄ )通信が行われてもよい。
【００５７】
任意選択で、５Ｇシステム又はネットワークは、新たな無線( Ｎｅｗ Ｒａｄｉｏ：ＮＲ )システム又はネットワークと呼ばれることもある。
【００５８】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００５９】
選択可能で、無線通信システム１００は、ネットワークコントローラ、モビリティ管理エンティティなどの他のネットワークエンティティをさらに含むことができ、本願の実施例はこれに限定されない。
【００６０】
本願の明細書において、「システム」および「ネットワーク」という用語は、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、明細書の「/」の文字は、前後の関連オブジェクトが一種の「または」の関係であることを一般的に示す。
【００６１】
図２は、本発明の実施例による、無線通信方法２００の概略的なフローチャートである。方法２００は、任意選択で、図１に示されるシステムに適用され得るが、これに限定されない。方法２００は、以下のコンテンツの少なくとも一部を含む。
【００６２】
２１０において、端末デバイスが第１の時間ユニットにおいてネットワークデバイスに第１の上り制御情報及び第１の上りチャネルを送信する必要があると確定し、ここで、第１の上りチャネルは、第１の上り制御情報の以外の他の情報を搬送し、第１の上りチャネルを送信する時間領域リソースは、第１の上り制御情報を送信する時間領域リソースの少なくとも一部の時間領域リソースを含む。
【００６３】
任意選択で、端末デバイスが第１の時間ユニットに第１の上り制御情報と第１の上りチャネルを送信するように予め設定してもよい（例えば、ネットワークデバイスの事前設定又は出荷時の事前設定）。
【００６４】
任意選択で、第１の上りチャネルは、第１の上り制御情報の以外の他の情報を搬送するように予め設定される。
【００６５】
任意選択で、第１の上りチャネルは、第１の上り共有チャネル又は第１の上り制御チャネルであってもよい。
【００６６】
例えば、第１の上りチャネルが第１の上り共有チャネルである場合、第１の上りチャネルは、ネットワークデバイスに送信するデータを搬送するように構成される。
【００６７】
例えば、第１の上りチャネルが第１の上り制御チャネルである場合、第１の上りチャネルは、ネットワークデバイスに送信するスケジューリング要求情報又は確定（Ａｃｋｎｏｗｌｅｄｇｅ、ＡＣＫ）/否定応答（Ｎｏｎ−Ａｃｋｎｏｗｌｅｄｇｅ、ＮＡＣＫ）メッセージ等を搬送するように構成される。
【００６８】
ここで、第１の上りチャネルが送信される時間領域リソースとは、端末デバイスに予め設定された第１の上りチャネルを送信する時間領域リソースを意味する。第１の上り制御情報を送信する時間領域リソースとは、端末デバイスに予め設定された第１の上り制御情報を送信する時間領域リソースである。
【００６９】
任意選択で、第１の上り制御情報は、以下のもののうちの少なくとも１つを含み、
少なくとも１つの上り論理チャネルに対応するスケジューリング要求情報であり、この１ビットの情報は、１ビットのメッセージであってもよく、端末デバイスの対応する上り論理チャネルにデータ送信の必要が有るか否かを示す情報であり、例えば、１はデータ送信有り、０はデータ送信無しを示し、
少なくとも１つの下り論理チャネルに対応する確定／否定応応答メッセージ、及び
少なくとも１セットの下り物理リソースで測定されたチャネル状態情報である。
【００７０】
任意選択で、第1の上り制御情報がスケジューリング要求である場合に、第1の上りチャンネルは、上りデータを搬送するデータチャネル、ACK/ NACKを搬送するチャンネル、またはチャネル状態情報を搬送するチャンネルであってもよい。
【００７１】
任意選択で、第１の上り制御情報がＡＣＫ／ＮＡＣＫメッセージである場合、第１の上りチャネルは、スケジューリング要求情報を搬送するチャネル、上りデータを搬送するデータチャネル、又はチャネル状態情報を搬送するチャネルであってもよい。
【００７２】
任意選択で、第１の上り制御情報がチャネル状態情報である場合に、第１の上りチャネルは、スケジューリング要求情報を搬送するチャネル、上りデータを搬送するデータチャネル、又はチャネル状態情報を搬送するチャネルであってもよい。
【００７３】
任意選択で、本願の実施例で言及された論理チャネルは、伝送されるべきサービスに一対一に対応してもよい。
【００７４】
２２０において、第１の上り制御情報に対応する伝送パラメータ及び第１の上りチャネルの伝送パラメータに基づいて、端末デバイスは第１の時間ユニットに伝送されるチャネル及び/又は情報を確定する。
【００７５】
任意選択で、第１の上り制御情報が少なくとも１つの上り論理チャネルに対応するスケジューリング要求情報を含む場合、当該第１の上り制御情報に対応する伝送パラメータは、少なくとも１つの上り論理チャネルの伝送パラメータを含む。
【００７６】
任意選択で、第１の上り制御情報が少なくとも１つの下り論理チャネルに対応する確定／否定応応答メッセージを含む場合、当該第１の上り制御情報に対応する伝送パラメータは、当該少なくとも１つの下り物理チャネルの伝送パラメータであってもよい。
【００７７】
任意選択で、第１の上り制御情報が少なくとも１セットの下り物理リソースで測定されたチャネル状態情報のうちの少なくとも１つを含む場合、当該第１の上り制御情報に対応する伝送パラメータは、少なくとも１セットの下り物理リソースの伝送パラメータであってもよい。
【００７８】
任意選択で、本願の実施例の伝送パラメータは、伝送時間間隔又はサブキャリア間隔であってもよい。もちろ、他のパラメータ、例えば、シンボル長さであってもよい。
【００７９】
任意選択で、端末デバイスにより確定された、第１の時間ユニットに伝送されるメッセージは、第１の上り制御情報又は第１のメッセージを含み、第１のメッセージは、第１の上り制御情報が示す内容に関連する内容を含む。勿論、第１の時間ユニットに伝送されるメッセージは、予め構成された第１の上りチャネルが送信する必要があるメッセージを含んでもよい。
【００８０】
任意選択で、第１の上り制御情報が上り論理チャネルに対応するスケジューリング要求情報である場合、第１のメッセージが上り論理チャネルに対応するバッファー状態報告（Ｂｕｆｆｅｒ Ｓｔａｔｅ Ｒｅｐｏｒｔ、ＢＳＲ）メッセージである。
【００８１】
任意選択で、端末デバイスにより確定された第１の時間ユニットに伝送されるチャネルは、第１の上りチャネル、及び／又は第１の上りチャネルの以外の第２の上り制御チャネルを含み、ここで、当該第２の上り制御チャネルは、予め設定された第１の上り制御情報を送信するチャネルである。
【００８２】
任意選択で、第１の時間ユニットに伝送されるチャネルは、第２の上り制御チャネルを含まなく、第１の上りチャネルを含む場合、第１の時間ユニットに第１の上りチャネルにおいて伝送するメッセージは、第１のメッセージ又は第１の上り制御情報を含む。
【００８３】
任意選択で、第１の時間ユニットにおいて伝送するチャネルが第２の上り制御チャネルを含む場合、第１の時間ユニットにおいて第２の上り制御チャネルに伝送するメッセージは、第１の上り制御情報を含む。
【００８４】
任意選択で、第１の上り制御情報は、１つの伝送パラメータ又は複数の伝送パラメータに対応してもよい。
【００８５】
ここで、第１の上り制御情報が１つの伝送パラメータに対応することは、特定の伝送パラメータについて、その送信パラメータの値が１つであること、例えば、１サブキャリア間隔又は１送信時間間隔であることを意味する。
【００８６】
第１の上り制御情報が複数の伝送パラメータに対応することは、特定の伝送パラメータについて、その伝送パラメータの値が複数であり、例えば、複数のサブキャリア間隔又は複数の伝送時間間隔であることを意味する。
【００８７】
例えば、第１の上り制御情報が１つの論理チャネルに対応するスケジューリング要求情報を含む場合、その第１の上り制御情報は１つの伝送パラメータに対応する。
【００８８】
例えば、第１の上り制御情報が複数の論理チャネルに対応するスケジューリング要求情報を含む場合、各論理チャネルの伝送パラメータが同じであれば、その第１の上り制御情報は１つの伝送パラメータに対応する。
【００８９】
例えば、第１の上り制御情報が複数の論理チャネルに対応するスケジューリング要求情報を含む場合に、複数の論理チャネルのうち少なくとも一部の論理チャネルの伝送パラメータが他の論理チャネルの伝送パラメータと異なる場合、当該第１の上り制御情報は複数の伝送パラメータに対応する。
【００９０】
本発明の理解を容易にするために、第１の時間ユニットで送信されるチャネル及び/又は情報がどのように決定されるかについては、第１の上り制御情報に対応する伝送パラメータがそれぞれ１つ以上である場合を例に挙げて説明する。
【００９１】
実施例において、表１を参照しながら説明する。ここで、表１において、第１の上りチャネルが物理上り共有チャネル（Ｐｈｙｓｉｃａｌ Ｕｐｌｉｎｋ Ｓｈａｒｅｄ Ｃｈａｎｎｅｌ、ＰＵＳＣＨ）、第１の上り制御情報が予め構成された物理上り共有チャネル（Ｐｈｙｓｉｃａｌ Ｕｐｌｉｎｋ Ｃｏｎｔｒｏｌ Ｃｈａｎｎｅｌ、ＰＵＣＣＨ）を介して送信されたスケジューリング要求情報である。
【表１】
2020526060.tif 000003
2020526060.tif 000004
【００９２】
以下の複数の例の間の特徴は、矛盾なく、互いに利用可能であることを理解されたい。
【００９３】
例Ａ
第１の上り制御情報が１つの伝送パラメータに対応する場合、第１の上り制御情報に対応する伝送パラメータと第１の上りチャネルの伝送パラメータが第１の関係を満たしている場合、端末デバイスは、第１の時間ユニットに伝送されるチャネルが第２の制御チャネルを含み、第１の時間ユニットに第２の制御チャネルに伝送するメッセージが第１の上り制御情報を含むと確定し、又は、
第１の上り制御情報に対応する伝送パラメータと第１の上りチャネルの伝送パラメータが第２の関係を満たしている場合、端末デバイスは、第１の時間ユニットに伝送されるチャネルが第１の上りチャネルを含み、第１の上りチャネルに伝送されるメッセージが第１の上り制御情報又は第１のメッセージを含むと確定する。
【００９４】
任意選択で、第１の関係は、第１の上り制御情報に対応する伝送時間間隔が第１の上りチャネルの伝送時間間隔よりも小さく、又は、第１の上り制御情報に対応するサブキャリア間隔が第１の上りチャネルのサブキャリア間隔よりも大きいことである。
【００９５】
任意選択で、第２の関係は、第１の上り制御情報に対応する伝送時間間隔が第１の上りチャネルの伝送時間間隔の以上であり、又は、第１の上り制御情報に対応するサブキャリア間隔が第１の上りチャネルのサブキャリア間隔の以下であることである。
【００９６】
例えば、表１のインデックス１の例のように、第１の上りチャネルとしてのＰＵＳＣＨのＴＴＩが０．５ｍｓであり、第１の上り制御情報に対応する伝送パラメータは、１つの論理チャネルのＴＴＩを含み、当該ＴＴＩが１ｍｓであり、０.５ｍｓが１ｍｓより小さいため、ＰＵＳＣＨを利用して論理チャネル１に対応するＢＳＲを伝送する。
【００９７】
例えば、表１のインデックス２の例のように、第１の上りチャネルとしてのＰＵＳＣＨのサブキャリア間隔が３０ｋＨｚであり、第１の上り制御情報に対応する伝送パラメータは、１つの論理チャネルのサブキャリア間隔を含み、当該サブキャリア間隔が１５ｋＨｚであり、３０ｋＨＺが１５ｋＨＺよりも小さいため、ＰＵＳＣＨを利用して論理チャネル１に対応するＢＳＲを伝送する。
【００９８】
例えば、表１のインデックス３の例のように、第１の上りチャネルとしてのＰＵＳＣＨのＴＴＩが０.５ｍｓであり、第１の上り制御情報に対応する伝送パラメータは、１つの論理チャネルのＴＴＩを含み、当該ＴＴＩが０.２ｍｓであり、０.５ｍｓが１ｍｓよりも大きいため、ＰＵＣＣＨを利用して当該上りスケジューリング要求を伝送する。
【００９９】
例えば、表１のインデックス４の例のように、第１の上りチャネルとしてのＰＵＳＣＨのサブキャリア間隔が１５ｋＨｚであり、第１の上り制御情報に対応する伝送パラメータは、１つの論理チャネルのサブキャリア間隔を含み、当該サブキャリア間隔が３０ｋＨｚであり、１５ｋＨＺが１５ｋＨＺよりも大きいため、ＰＵＣＣＨを利用して当該上りスケジューリング要求を伝送する。
【０１００】
例Ｂ
第１の上り制御情報が複数の伝送パラメータに対応する場合、第１の上り制御情報に対応する複数の伝送パラメータ内の極値と第１の上りチャネルの伝送パラメータが第３の関係を満たしている場合、端末デバイスは、第１の時間ユニットに伝送されるチャネルが第２の制御チャネルを含み、第１の時間ユニットに第２の制御チャネルにおいて伝送されるメッセージが第１の上り制御情報を含むと確定し、又は、
第１の上り制御情報に対応する複数の伝送パラメータ内の極値と第１の上りチャネルの伝送パラメータが第４の関係を満たしている場合、端末デバイスは、第１の時間ユニットに伝送されるチャネルが第１の上りチャネルを含み、第１の時間ユニットに第１の上りチャネルにおいて伝送されるメッセージが第１の上り制御情報又は第１のメッセージを含むと確定する。
【０１０１】
任意選択で、第３の関係は、第１の上り制御情報に対応する複数の伝送時間間隔の極値が第１の上りチャネルの伝送時間間隔より小さく、又は、
第１の上り制御情報に対応するサブキャリア間隔の極値が第１の上りチャネルのサブキャリア間隔よりも大きいことである。
【０１０２】
任意選択で、第４の関係は、第１の上り制御情報に対応する伝送時間間隔の極値が第１の上りチャネルの伝送時間間隔の以上であり、又は、第１の上り制御情報に対応するサブキャリア間隔の極値が第１の上りチャネルのサブキャリア間隔の以下であることである。
【０１０３】
任意選択で、伝送パラメータが伝送時間間隔である場合、極値が複数の伝送時間間隔の最小値、又は、
伝送パラメータがサブキャリア間隔である場合、極値はサブキャリア間隔の最大値である。
【０１０４】
例えば、表１のインデックス５の例のように、第１の上りチャネルとしてのＰＵＳＣＨのＴＴＩが０.２ｍｓであり、第１の上り制御情報に対応する伝送パラメータが論理チャネル１、２の２つの論理チャネルのＴＴＩを含み、当該２つの論理チャネルのＴＴＩがそれぞれ１ｍｓと０.５ｍｓであり、０.５ｍｓと１ｍｓの最小値が０.２ｍｓより大きいため、ＰＵＳＣＨを利用して論理チャネル１、２に対応するＢＳＲを伝送する。
【０１０５】
例えば、表１のインデックス６の例のように、第１の上りチャネルとしてのＰＵＳＣＨのサブキャリア間隔が６０ｋＨｚであり、第１の上り制御情報に対応する伝送パラメータが論理チャネル１、２の２つの論理チャネルのサブキャリア間隔を含み、当該２つの論理チャネルのサブキャリア間隔がそれぞれ１５ｋＨｚと３０ｋＨｚであり、１５ｋＨｚと３０ｋＨｚの最大値が６０ｋＨｚより小さいため、ＰＵＳＣＨを利用して論理チャネル１、２に対応するＢＳＲを伝送する。
【０１０６】
例えば、表１のインデックス７の例のように、第１の上りチャネルとしてのＰＵＳＣＨのＴＴＩが１ｍｓであり、第１の上り制御情報に対応する伝送パラメータが論理チャネル１、２の２つの論理チャネルのＴＴＩを含み、当該２つの論理チャネルのＴＴＩがそれぞれ０.２ｍｓと０.５ｍｓであり、０.５ｍｓと１ｍｓの最小値が０.２ｍｓより小さいため、ＰＵＣＣＨを利用して前記上りスケジューリング要求を伝送する。
【０１０７】
例えば、表１のインデックス８の例にように、第１の上りチャネルとしてのＰＵＳＣＨのサブキャリア間隔が１５ｋＨｚであり、第１の上り制御情報に対応する伝送パラメータが論理チャネル１、２の２つの論理チャネルのサブキャリア間隔を含み、当該２つの論理チャネルのサブキャリア間隔がそれぞれ６０ｋＨｚと３０ｋＨｚであり、６０ｋＨｚと３０ｋＨｚの最大値が６０ｋＨｚより大きいため、ＰＵＣＣＨを利用して前記上りスケジューリング要求を伝送する。
【０１０８】
例Ｃ
第１の上り制御情報が複数の伝送パラメータに対応する場合、端末デバイスは、第１の時間ユニットに伝送されるチャネルが第２の制御チャネルを含み、第１の時間ユニットに第２の制御チャネルにおいて伝送されるメッセージが第１の上り制御情報に含まれる第２の制御メッセージを含むと確定し、
端末デバイスは、第１の時間ユニットに伝送されるチャネルが第１の上りチャネルを含み、第１の時間ユニットに第１の上りチャネルにおいて伝送されるメッセージが第１の上り制御情報に含まれる第３の制御メッセージを含み、又は第１のメッセージを含むと確定し、ここで、第１のメッセージは、第３の制御メッセージに関連するメッセージを含み、
ここで、第２の上り制御情報に対応する伝送パラメータと第１の上りチャネルの伝送パラメータとが第５の関係を満たし、第３の上り制御情報に対応する伝送パラメータと第１の上りチャネルの伝送パラメータとが第６の関係を満たしている。
【０１０９】
任意選択で、第５の関係は、第２の上り制御情報に対応する伝送時間間隔が第１の上りチャネルの伝送時間間隔よりも小さいく、又は、
第２の上り制御情報に対応するサブキャリア間隔が第１の上りチャネルのサブキャリア間隔よりも大きいことを含む。
【０１１０】
任意選択で、第６の関係は、第３の上り制御情報に対応する伝送時間間隔が第１の上りチャネルの伝送時間間隔の以上であり、又は、第３の上り制御情報に対応するサブキャリア間隔が第１の上りチャネルのサブキャリア間隔の以下のであることを含む。
【０１１１】
任意選択で、伝送する際、第１の時間ユニットに伝送されるチャネルが第１の上りチャネルと第２の上り制御チャネルを含む場合、第１の上りチャネルが第１の時間領域リソースを占用して伝送し、第１の時間領域リソースは、第２の上り制御チャネルが占用する時間領域リソースを含まない。
【０１１２】
例えば、表１のインデックス９の例のように、第１の上りチャネルとしてのＰＵＳＣＨのＴＴＩが０.５ｍｓであり、第１の上り制御情報に対応する伝送パラメータが論理チャネル１、２の２つの論理チャネルのＴＴＩを含み、当該２つの論理チャネルのＴＴＩがそれぞれ１ｍｓと０.２ｍｓであり、ＰＵＳＣＨを利用して論理チャネル１に対応するＢＳＲを伝送し、又は、ＰＵＣＣＨを利用して論理チャネル２に対応する上りスケジューリング要求を伝送する。
【０１１３】
例えば、表１のインデックス１０の例のように、第１の上りチャネルとしてのＰＵＳＣＨのサブキャリア間隔が３０ｋＨｚであり、第１の上り制御情報に対応する伝送パラメータが論理チャネル１、２の２つの論理チャネルのサブキャリア間隔を含み、当該２つの論理チャネルのサブキャリア間隔がそれぞれ１５ｋＨｚと６０ｋＨｚであり、ＰＵＳＣＨを利用して論理チャネル１に対応するＢＳＲを伝送し、又はＰＵＣＣＨを利用して論理チャネル２に対応する上りスケジューリング要求を伝送する。
【０１１４】
そして、本願の実施例において、端末デバイスは、第１の時間ユニットに伝送される第１の上り制御情報に対応する伝送パラメータ及び第１の上りチャネルの伝送パラメータに基づいて、前記第１の時間ユニットに伝送されるチャネル及び/又は情報を確定し、時間ユニットに伝送されるチャネル及び/又は情報は、伝送される必要があるチャネル及び/又は情報の伝送パラメータに基づいて確定したものであり、可適当なチャネル及び/又は情報を選択して送信することができる。
【０１１５】
さらに、選択された上りチャネルが第１の上りチャネル含み、第１の上り制御情報を送信するための第２の制御チャネルを含まない場合、第１の上り制御情報又は第１の上り制御情報に関するメッセージを第１の上りチャネルに多種して送信することで、伝送リソースを節約することができる。
【０１１６】
さらに、送信すべき第１の上り制御情報が対応するＴＴＩが第１の制御チャネルのＴＴＩより大きい場合、大きいＴＴＩは低いＴＴＩよりも遅延の要求が低いことから、低いＴＴＩを有する上り制御情報又は関連情報を低いＴＴＩを有する上りチャンネルで送信することができ、該上り制御情報の遅延の要求を低下させることなく伝送リソースを節約することができる。
【０１１７】
同様に、送信すべき第１の上り制御情報に対応するサブキャリア間隔が第１の制御チャネルのサブキャリア間隔よりも小さい場合には、小さいサブキャリア間隔の方が大きいサブキャリア間隔よりも遅延時間の要求が低いので、当該第１の上り制御情報又は関連情報を、大きいサブキャリア間隔の上りチャンネルで送信することができ、上り制御情報の遅延時間の要求を低下させることなく、送信リソースを節約することができる。
【０１１８】
図３は本願の実施例における無線通信方法３００のフローチャートである。当該方法３００は、以下の少なくとも一部のを含む。
【０１１９】
３１０において、ネットワークデバイスが第１の時間ユニットにおいて端末デバイスにより送信された第１の上り制御情報及び第１の上りチャネルを受信する必要があると確定し、ここで、第１の上りチャネルは、第１の上り制御情報の以外の他の情報を搬送し、第１の上りチャネルの時間領域リソースは、第１の上り制御情報の時間領域リソースの少なくとも一部の時間領域リソースを含む。
【０１２０】
３２０において、第１の上り制御情報に対応する伝送パラメータ及び第１の上りチャネルの伝送パラメータに基づいて、ネットワークデバイスは、第１の時間ユニットに受信されるチャネル及び/又は情報を確定する。
【０１２１】
任意選択で、第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、
少なくとも１セットの下り物理リソースで測定されたチャネル状態情報のうちの少なくとも１つを含む。
【０１２２】
任意選択で、第１の上り制御情報に対応する伝送パラメータは、
少なくとも１つの上り論理チャネルの伝送パラメータ、
少なくとも１つの下り物理チャネルの伝送パラメータ、
少なくとも１セットの下り物理リソースの伝送パラメータのうちの少なくとも１つを含む。
【０１２３】
任意選択で、伝送パラメータは、
伝送時間間隔ＴＴＩ、
サブキャリア間隔のうちの少なくとも１つを含む。
【０１２４】
任意選択で、第１の上りチャネルが第１の上り共有チャネル、又は、
第１の上りチャネルが第１の上り制御チャネルである。
【０１２５】
任意選択で、確定された、第１の時間ユニットに受信されるチャネルは、第１の上りチャネル、及び／又は第１の上りチャネルの以外の第２の上り制御チャネルを含む。
【０１２６】
任意選択で、確定された、第１の時間ユニットに受信されるメッセージは、第１の上り制御情報又は第１のメッセージを含み、第１のメッセージは、第１の上り制御情報が示す内容に関連する内容を含む。
【０１２７】
任意選択で、第１の時間ユニットに受信されるチャネルは、第１の上りチャネルを含み、第２の上り制御チャネルを含まない場合、第１の時間ユニットに第１の上りチャネルにおいて受信するメッセージは、第１のメッセージ又は第１の上り制御情報を含み、又は、
第１の時間ユニットに受信されるチャネルが第２の上り制御チャネルを含む場合、第１の時間ユニットに第２の上り制御チャネルにおいて受信するメッセージが第１の上り制御情報を含む。
【０１２８】
任意選択で、第１の上り制御情報が上り論理チャネルに対応するスケジューリング要求情報である場合、第１のメッセージが上り論理チャネルに対応するバッファー状態報告ＢＳＲメッセージである。
【０１２９】
任意選択で、第１の上り制御情報が１つの伝送パラメータに対応する場合、第１の上り制御情報に対応する伝送パラメータ及び第１の上りチャネルの伝送パラメータに基づいて、ネットワークデバイスが第１の時間ユニットに受信されるチャネル及び/又は情報を確定することは、 
第１の上り制御情報に対応する伝送パラメータと第１の上りチャネルの伝送パラメータとが第１の関係を満たしている場合、ネットワークデバイスは、第１の時間ユニットに受信されるチャネルが第２の制御チャネルを含み、第１の時間ユニットに第２の制御チャネルにおいて受信するメッセージが第１の上り制御情報を含むと確定し、又は、
第１の上り制御情報に対応する伝送パラメータと第１の上りチャネルの伝送パラメータとが第２の関係を満たしている場合、ネットワークデバイスは、第１の時間ユニットに受信されるチャネルが第１の上りチャネルを含み、第１の上りチャネルにおいて伝送するメッセージが第１の上り制御情報又は第１のメッセージを含むと確定する。
【０１３０】
任意選択で、第１の関係は、
第１の上り制御情報に対応する伝送時間間隔が第１の上りチャネルの伝送時間間隔より小さく、又は、
第１の上り制御情報に対応するサブキャリア間隔が第１の上りチャネルのサブキャリア間隔より大きいことである。
【０１３１】
任意選択で、第２の関係は、
第１の上り制御情報に対応する伝送時間間隔が第１の上りチャネルの伝送時間間隔の以上であり、又は、
第１の上り制御情報に対応するサブキャリア間隔が第１の上りチャネルのサブキャリア間隔の以下であることである。
【０１３２】
任意選択で、第１の上り制御情報が複数の伝送パラメータに対応する場合、第１の上り制御情報に対応する伝送パラメータ及び第１の上りチャネルの伝送パラメータに基づいて、ネットワークデバイスが第１の時間ユニットに受信されるチャネル及び/又は情報を確定することは、
第１の上り制御情報に対応する複数の伝送パラメータ内の極値と第１の上りチャネルの伝送パラメータとが第３の関係を満たしている場合、ネットワークデバイスは、第１の時間ユニットに受信されるチャネルが第２の制御チャネルを含み、第１の時間ユニットに第２の制御チャネルにおいて受信するメッセージが第１の上り制御情報を含むと確定し、又は、
第１の上り制御情報に対応する複数の伝送パラメータ内の極値と第１の上りチャネルの伝送パラメータとが第４の関係を満たしている場合、ネットワークデバイスが第１の時間ユニットに受信されるチャネルが第１の上りチャネルを含み、第１の時間ユニットに第１の上りチャネルにおいて受信するメッセージが第１の上り制御情報又は第１のメッセージを含むと確定する。
【０１３３】
任意選択で、第３の関係は、
第１の上り制御情報に対応する複数の伝送時間間隔の極値が第１の上りチャネルの伝送時間間隔より小さく、又は、
第１の上り制御情報に対応するサブキャリア間隔の極値が第１の上りチャネルのサブキャリア間隔より大きいことである。
【０１３４】
任意選択で、第４の関係は、
第１の上り制御情報に対応する伝送時間間隔の極値が第１の上りチャネルの伝送時間間隔の以上であり、又は、
第１の上り制御情報に対応するサブキャリア間隔の極値が第１の上りチャネルのサブキャリア間隔の以下であることである。
【０１３５】
任意選択で、伝送パラメータが伝送時間間隔である場合、極値が複数の伝送時間間隔の最小値、又は、
伝送パラメータがサブキャリア間隔である場合、極値がサブキャリア間隔の最大値である。
【０１３６】
任意選択で、第１の上り制御情報が複数の伝送パラメータに対応する場合、第１の上り制御情報に対応する伝送パラメータ及び第１の上りチャネルの伝送パラメータに基づいて、ネットワークデバイスが第１の時間ユニットに伝送されるチャネル及び/又は情報を確定することは、
ネットワークデバイスは、第１の時間ユニットに受信されるチャネルが第２の制御チャネルを含み、第１の時間ユニットに第２の制御チャネルにおいて受信されるメッセージが第１の上り制御情報に含まれる第２の制御メッセージを含むと確定し、
ネットワークデバイスは、第１の時間ユニットに受信されるチャネルが第１の上りチャネルを含み、第１の時間ユニットに第１の上りチャネルにおいて受信されるメッセージが第１の上り制御情報に含まれる第３の制御メッセージを含むと確定し、又は、第１のメッセージを含むと確定し、ここで、第１のメッセージは、第３の制御メッセージに関連うするメッセージを含み、
ここで、第２の上り制御情報に対応する伝送パラメータと第１の上りチャネルの伝送パラメータとが第５の関係を満たし、第３の上り制御情報に対応する伝送パラメータと第１の上りチャネルの伝送パラメータとが第６の関係を満たす。
【０１３７】
任意選択で、第５の関係は、
第２の上り制御情報に対応する伝送時間間隔が第１の上りチャネルの伝送時間間隔よりも小さく、又は、
第２の上り制御情報に対応するサブキャリア間隔が第１の上りチャネルのサブキャリア間隔よりも大きいこと含む。
【０１３８】
任意選択で、第６の関係は、
第３の上り制御情報に対応する伝送時間間隔が第１の上りチャネルの伝送時間間隔の以上であり、又は、
第３の上り制御情報に対応するサブキャリア間隔が第１の上りチャネルのサブキャリア間隔の以下であることを含む。
【０１３９】
任意選択で、第１の上りチャネルが第１の時間領域リソースにおいて受信し、第１の時間領域リソースは、第２の制御上りチャネルが占用する時間領域リソースを含まない。
【０１４０】
なお、図３に示す方法の記載は、図２のものを参照し、簡潔のために、ここで説明を省略する。
【０１４１】
図４は本願の実施例における端末デバイス４００のブロック図である。図４に示すように、当該端末デバイス４００は、第１の確定ユニット４１０及び第２の確定ユニット４２０を含む。
【０１４２】
ここで、前記第１の確定ユニット４１０は、第１の時間ユニットにおいてネットワークデバイスに第１の上り制御情報と第１の上りチャネルを送信する必要があると確定するように構成され、ここで、前記第１の上りチャネルは、前記第１の上り制御情報の以外の他の情報を搬送し、前記第１の上りチャネルを送信する時間領域リソースは、前記第１の上り制御情報を送信する時間領域リソースの少なくとも一部の時間領域リソースを含む。
【０１４３】
前記第２の確定ユニット４２０は、前記第１の上り制御情報に対応する伝送パラメータ及び前記第１の上りチャネルの伝送パラメータに基づいて、前記第１の時間ユニットに伝送されるチャネル及び/又は情報を確定するように構成される。
【０１４４】
なお、当該端末デバイス４００は、図２の端末デバイスの操作を実行し、例えば、第２の確定ユニット４２０は、前記第１の上り制御情報に対応する伝送パラメータ及び前記第１の上りチャネルの伝送パラメータに基づいて、前記第１の時間ユニットに伝送されるチャネル及び/又は情報を確定することは、上記の端末デバイスの記載を参照し、簡潔のため、ここで説明を省略する。
【０１４５】
図５は本願の実施例におけるネットワークデバイス５００のブロック図である。図５に示すように、当該ネットワークデバイスは、第１の確定ユニット５１０及び第２の確定ユニット５２０を含む。
【０１４６】
前記第１の確定ユニット５１０は、第１の時間ユニットに端末デバイスにより送信された第１の上り制御情報と第１の上りチャネルを受信すると確定するように構成され、ここで、前記第１の上りチャネルは、前記第１の上り制御情報の以外の他の情報を搬送し、前記第１の上りチャネルの時間領域リソースは、前記第１の上り制御情報の時間領域リソースの少なくとも一部の時間領域リソースを含み、
前記第２の確定ユニット５２０は、前記第１の上り制御情報に対応する伝送パラメータ及び前記第１の上りチャネルの伝送パラメータに基づいて、前記第１の時間ユニットに受信されるチャネル及び/又は情報を確定するように構成される。
【０１４７】
なお、当該ネットワークデバイス５００は、図３のネットワークデバイスの操作を実行し、例えば、第２の確定ユニット５２０は、前記第１の上り制御情報に対応する伝送パラメータ及び前記第１の上りチャネルの伝送パラメータに基づいて、前記第１の時間ユニットに受信されるチャネル及び/又は情報を確定することは、上記のネットワークデバイスの記載を参照し、簡潔のため、ここで説明を省略する。
【０１４８】
図６は、本発明の実施例に係るシステムチップ６００の概略構成図である。図６のシステムオンチップ６００は、入力インターフェース６０１、出力インターフェース６０２、メモリ５０４内のコードを実行するプロセッサ６０３、及びメモリ６０４を含み、それらの間を内部通信接続線によって接続することができる。
【０１４９】
任意選択で、コードが実行されると、プロセッサ６０３は、方法の実施例においてネットワークデバイスによって実行される方法を実施する。簡潔にするために、ここでは繰り返し説明しない。
【０１５０】
任意選択で、コードが実行されると、プロセッサ６０３は、方法の実施例において端末デバイスによって実行される方法を実施する。簡潔にするために、ここでは繰り返し説明しない。
【０１５１】
図７は、本発明の実施例による通信デバイス７００の概略ブロック図である。図７に示すように、通信デバイス７００は、プロセッサ７１０と、メモリ７２０とを有する。メモリ７２０は、プロセッサ７１０がメモリ７２０に記憶されたプログラムコードを実行することができるプログラムコードを記憶することができる。
【０１５２】
任意選択で、図７に示すように、通信デバイス７００は、プロセッサ７１０が外部と通信するように制御することができる送受信機７３０を含んでもよい。
【０１５３】
任意選択で、プロセッサ７１０は、メモリ７２０に記憶されたプログラムコードを呼び出して、方法の実施例におけるネットワークデバイスの対応する動作を実行してもよく、簡潔のためにここでは詳しい説明を省略する。
【０１５４】
任意選択で、プロセッサ７１０は、メモリ７２０に記憶されたプログラムコードを呼び出して、方法の実施例における端末デバイスの対応する動作を実行してもよく、簡潔のためにここでは詳しい説明を省略する。
【０１５５】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１５６】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１５７】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５８】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１５９】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６０】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１６１】
また、本発明の各実施例における各機能部は、１つの処理部に集積されてもよく、各部は、物理的に別個に存在してもよく、２つ以上の部が１つの部に集積されてもよい。
【０１６２】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１６３】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2020526060.tif 000005
【図２】
2020526060.tif 000006
【図３】
2020526060.tif 000007
【図４】
2020526060.tif 000008
【図５】
2020526060.tif 000009
【図６】
2020526060.tif 000010
【図７】
2020526060.tif 000011
【手続補正書】
【提出日】令和2年5月1日(2020.5.1)
【手続補正１】
【補正対象書類名】明細書
【補正対象項目名】全文
【補正方法】変更
【補正の内容】
【発明の詳細な説明】
【技術分野】
【０００１】
本願は、通信分野に関し、具体的に、無線通信方法及びデバイスに関する。
【背景技術】
【０００２】
新規無線( Ｎｅｗ Ｒａｄｉｏ、ＮＲ )システムにおいて、同一端末は、異なるチャネル及び/又は情報に対して、異なる伝送パラメータを採用してもよく、又は、同じ伝送パラメータを採用してもよく、該伝送パラメータは、例えば、伝送時間間隔(  Ｔｒａｎｓｍｉｓｓｉｏｎ  Ｔｉｍｅ  Ｉｎｔｅｒｖａｌ、ＴＴＩ )又はサブキャリア間隔等であってもよい。
【０００３】
異なるチャネル及び/又は情報に対して、チャネル及び/又は情報の伝送パラメータをどのように結合してチャネル及び/又は情報の伝送を行うことは、解決すべき課題である。
【発明の概要】
【０００４】
本願の実施例は、チャネル及び/又は情報の伝送パラメータと組み合わせて、チャネル及び/又は情報の伝送を行うことができる無線通信方法及びデバイスを提供する。
【０００５】
第１の形態は、無線通信方法を提供し、
端末デバイスが第１の時間ユニットにおいてネットワークデバイスに第１の上り制御情報及び第１の上りチャネルを送信する必要があると確定することと、
前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することとを含み、
前記第１の上りチャネルは、前記第１の上り制御情報の以外の他の情報を搬送し、前記第１の上りチャネルを送信する時間領域リソースは、前記第１の上り制御情報を送信する時間領域リソースの少なくとも一部の時間領域リソースを含む。
【０００６】
第１の形態と結合し、第１の形態の実現可能な方式において、前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、  少なくとも１セットの下り物理リソースで測定されたチャネル状態情報のうちの少なくとも１つを含む。
【０００７】
第１の形態又は上記の実現可能な形式と結合し、第１の形態の他の実現可能な方式において、前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む。
【０００８】
第１の形態又は上記の実現可能な形式と結合し、第１の形態の他の実現可能な方式において、前記伝送パラメータは、
伝送時間間隔ＴＴＩ、
サブキャリア間隔のうちの少なくとも１つを含む。
【０００９】
第１の形態又は上記の実現可能な形式と結合し、第１の形態の他の実現可能な方式において、前記第１の上りチャネルが第１の上り共有チャネルであり、又は、
前記第１の上りチャネルが第１の上り制御チャネルである。
【００１０】
第１の形態又は上記の実現可能な形式と結合し、第１の形態の他の実現可能な方式において、確定された前記第１の時間ユニットに伝送されるチャネルは、第１の上りチャネル、及び／又は前記第１の上りチャネルの以外の第２の上り制御チャネルを含む。
【００１１】
第１の形態又は上記の実現可能な形式と結合し、第１の形態の他の実現可能な方式において、確定された、前記第１の時間ユニットに伝送されるメッセージは、前記第１の上り制御情報又は第１のメッセージを含み、前記第１のメッセージは、前記第１の上り制御情報が示す内容に関連する内容を含む。
【００１２】
第１の形態又は上記の実現可能な形式と結合し、第１の形態の他の実現可能な方式において、前記第１の上り制御情報が上り論理チャネルに対応するスケジューリング要求情報である場合、前記第１のメッセージが前記上り論理チャネルに対応するバッファー状態報告ＢＳＲメッセージである。
【００１３】
第１の形態又は上記の実現可能な形式と結合し、第１の形態の他の実現可能な方式において、前記第１の上り制御情報が１つの伝送パラメータに対応する場合、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することは、  
前記第１の上り制御情報に対応する伝送パラメータと前記第１の上りチャネルの伝送パラメータとが第１の関係を満たしている場合、前記端末デバイスが第２の上り制御チャネルを介して前記第１の上り制御情報を伝送すると確定すること、又は、
前記第１の上り制御情報に対応する伝送パラメータと前記第１の上りチャネルの伝送パラメータとが第２の関係を満たしている場合、前記端末デバイスが前記第１の上りチャネルを介して前記第１の上り制御情報又は前記第１のメッセージを伝送することを含む。
【００１４】
第１の形態又は上記の実現可能な形式と結合し、第１の形態の他の実現可能な方式において、前記第１の関係は、
前記第１の上り制御情報に対応する伝送時間間隔が前記第１の上りチャネルの伝送時間間隔よりも小さく、又は、
前記第１の上り制御情報に対応するサブキャリア間隔が前記第１の上りチャネルのサブキャリア間隔よりも大きいことである。
【００１５】
第１の形態又は上記の実現可能な形式と結合し、第１の形態の他の実現可能な方式において、前記第２の関係は、
前記第１の上り制御情報に対応する伝送時間間隔が前記第１の上りチャネルの伝送時間間隔の以上であり、又は、
前記第１の上り制御情報に対応するサブキャリア間隔が前記第１の上りチャネルのサブキャリア間隔の以下であることである。
【００１６】
第１の形態又は上記の実現可能な形式と結合し、第１の形態の他の実現可能な方式において、前記第１の上り制御情報が複数の伝送パラメータに対応する場合、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することは、
前記第１の上り制御情報に対応する前記複数の伝送パラメータ内の極値と前記第１の上りチャネルの伝送パラメータとが第３の関係を満たしている場合、前記端末デバイスが第２の上り制御チャネルを介して前記第１の上り制御情報を伝送すると確定すること、又は、
前記第１の上り制御情報に対応する前記複数の伝送パラメータ内の前記極値と前記第１の上りチャネルの伝送パラメータとが第４の関係を満たしている場合、前記端末デバイスが前記第１の上りチャネルを介して前記第１の上り制御情報又は前記第１のメッセージを伝送することを含む。
【００１７】
第１の形態又は上記の実現可能な形式と結合し、第１の形態の他の実現可能な方式において、前記第３の関係は、
前記第１の上り制御情報に対応する複数の伝送時間間隔の極値が前記第１の上りチャネルの伝送時間間隔よりも小さく、又は、
前記第１の上り制御情報に対応するサブキャリア間隔の極値が前記第１の上りチャネルのサブキャリア間隔よりも大きいことである。
【００１８】
第１の形態又は上記の実現可能な形式と結合し、第１の形態の他の実現可能な方式において、前記第４の関係は、
前記第１の上り制御情報に対応する伝送時間間隔の極値が前記第１の上りチャネルの伝送時間間隔の以上であり、又は、
前記第１の上り制御情報に対応するサブキャリア間隔の極値が前記第１の上りチャネルのサブキャリア間隔の以下であることである。
【００１９】
第１の形態又は上記の実現可能な形式と結合し、第１の形態の他の実現可能な方式において、
前記伝送パラメータが伝送時間間隔である場合、前記極値が前記複数の伝送時間間隔の最小値であり、又は、
前記伝送パラメータがサブキャリア間隔である場合、前記の極値が前記サブキャリア間隔の最大値である。
【００２０】
第１の形態又は上記の実現可能な形式と結合し、第１の形態の他の実現可能な方式において、前記第１の上り制御情報が複数の伝送パラメータに対応する場合、前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することは、
前記端末デバイスが第２の上り制御チャネルを介して前記第１の上り制御情報に含まれる第２の上り制御情報を伝送すると確定することと、
前記端末デバイスが前記第１の上りチャネルを介して前記第１の上り制御情報に含まれる第３の上り制御情報を伝送し又は第３のメッセージを伝送すると確定することとを含み、前記第３のメッセージは、前記第３の上り制御情報が示す内容を含み、
ここで、前記第２の上り制御情報に対応する伝送パラメータと前記第１の上りチャネルの伝送パラメータとが第５の関係を満たしており、前記第３の上り制御情報に対応する伝送パラメータと前記第１の上りチャネルの伝送パラメータとが第６の関係を満たしている。
【００２１】
第１の形態又は上記の実現可能な形式と結合し、第１の形態の他の実現可能な方式において、前記第５の関係は、
前記第２の上り制御情報に対応する伝送時間間隔が前記第１の上りチャネルの伝送時間間隔よりも小さく、又は、
前記第２の上り制御情報に対応するサブキャリア間隔が前記第１の上りチャネルのサブキャリア間隔よりも大きいことを含む。
【００２２】
第１の形態又は上記の実現可能な形式と結合し、第１の形態の他の実現可能な方式において、前記第６の関係は、
前記第３の上り制御情報に対応する伝送時間間隔が前記第１の上りチャネルの伝送時間間隔の以上であり、又は、
前記第３の上り制御情報に対応するサブキャリア間隔が前記第１の上りチャネルのサブキャリア間隔の以下であることを含む。
【００２３】
第１の形態又は上記の実現可能な形式と結合し、第１の形態の他の実現可能な方式において、前記第１の上りチャネルが第１の時間領域リソースを占用して伝送を行い、前記第１の時間領域リソースは、前記第２の上り制御チャネルが占用する時間領域リソースを含まない。
【００２４】
第２の形態は、無線通信方法を提供し、
ネットワークデバイスが第１の時間ユニットにおいて端末デバイスにより送信された第１の上り制御情報及び第１の上りチャネルを受信する必要があると確定することと、
前記第１の上り制御情報に対応する伝送パラメータ及び前記第１の上りチャネルの伝送パラメータに基づいて、前記ネットワークデバイスが前記第１の時間ユニットに受信されるチャネル及び/又は情報を確定することとを含み、
前記第１の上りチャネルは、前記第１の上り制御情報の以外の他の情報を搬送し、前記第１の上りチャネルの時間領域リソースは、前記第１の上り制御情報の時間領域リソースの少なくとも一部の時間領域リソースを含む。
【００２５】
第２の形態と結合し、第２の形態の実現の可能な方式において、前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、  少なくとも１セットの下り物理リソースで測定されたチャネル状態情報のうちの少なくとも１つを含む。
【００２６】
第２の形態又は上記の実現可能な形式と結合し、第２の形態の他の実現可能な方式において、前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む。
【００２７】
第２の形態又は上記の実現可能な形式と結合し、第２の形態の他の実現可能な方式において、前記伝送パラメータは、
伝送時間間隔ＴＴＩ、
サブキャリア間隔のうちの少なくとも１つを含む。
【００２８】
第２の形態又は上記の実現可能な形式と結合し、第２の形態の他の実現可能な方式において、前記第１の上りチャネルが第１の上り共有チャネルであり、又は、
前記第１の上りチャネルが第１の上り制御チャネルである。
【００２９】
第２の形態又は上記の実現可能な形式と結合し、第２の形態の他の実現可能な方式において、確定された、前記第１の時間ユニットに受信されたチャネルは、第１の上りチャネル、及び／又は前記第１の上りチャネル以外の第２の上り制御チャネルを含む。
【００３０】
第２の形態又は上記の実現可能な形式と結合し、第２の形態の他の実現可能な方式において、確定された前記第１の時間ユニットに受信されたメッセージは、前記第１の上り制御情報又は第１のメッセージを含み、前記第１のメッセージは、前記第１の上り制御情報が示す内容に関連する内容を含む。
【００３１】
第２の形態又は上記の実現可能な形式と結合し、第２の形態の他の実現可能な方式において、前記第１の上り制御情報が上り論理チャネルに対応するスケジューリング要求情報である場合、前記第１のメッセージが前記上り論理チャネルに対応するバッファー状態報告ＢＳＲメッセージである。
【００３２】
第２の形態又は上記の実現可能な形式と結合し、第２の形態の他の実現可能な方式において、前記第１の上り制御情報が１つの伝送パラメータに対応する場合、前記第１の上り制御情報に対応する伝送パラメータ及び前記第１の上りチャネルの伝送パラメータに基づいて、前記ネットワークデバイスが前記第１の時間ユニットに受信されるチャネル及び/又は情報を確定することは、  
前記第１の上り制御情報に対応する伝送パラメータと前記第１の上りチャネルの伝送パラメータとが第１の関係を満たしている場合、前記ネットワークデバイスが前記第２の制御チャネルに前記第１の上り制御情報を受信すると確定すること、又は、
前記第１の上り制御情報に対応する伝送パラメータと前記第１の上りチャネルの伝送パラメータとが第２の関係を満たしている場合、前記ネットワークデバイスが前記第１の上りチャネルに前記第１の上り制御情報又は前記第１のメッセージを受信することを含む。  
【００３３】
第２の形態又は上記の実現可能な形式と結合し、第２の形態の他の実現可能な方式において、前記第１の関係は、
前記第１の上り制御情報に対応する伝送時間間隔が前記第１の上りチャネルの伝送時間間隔よりも小さく、又は、
前記第１の上り制御情報に対応するサブキャリア間隔が前記第１の上りチャネルのサブキャリア間隔よりも大きいことである。
【００３４】
第２の形態又は上記の実現可能な形式と結合し、第２の形態の他の実現可能な方式において、前記第２の関係は、
前記第１の上り制御情報に対応する伝送時間間隔が前記第１の上りチャネルの伝送時間間隔の以上であり、又は、
前記第１の上り制御情報に対応するサブキャリア間隔が前記第１の上りチャネルのサブキャリア間隔の以下であることである。
【００３５】
第２の形態又は上記の実現可能な形式と結合し、第２の形態の他の実現可能な方式において、前記第１の上り制御情報が複数の伝送パラメータに対応する場合、前記第１の上り制御情報に対応する伝送パラメータ及び前記第１の上りチャネルの伝送パラメータに基づいて、前記ネットワークデバイスが前記第１の時間ユニットに受信されるチャネル及び/又は情報を確定することは、
前記第１の上り制御情報に対応する前記複数の伝送パラメータ内の極値と前記第１の上りチャネルの伝送パラメータとが第３の関係を満たしている場合、前記ネットワークデバイスが前記第２の制御チャネルに前記第１の上り制御情報を受信すると確定すること、又は、
前記第１の上り制御情報に対応する前記複数の伝送パラメータ内の前記極値と前記第１の上りチャネルの伝送パラメータとが第４の関係を満たしている場合、前記ネットワークデバイスが前記第１の上りチャネルに前記第１の上り制御情報又は前記第１のメッセージを受信することを含む。
【００３６】
第２の形態又は上記の実現可能な形式と結合し、第２の形態の他の実現可能な方式において、前記第３の関係は、
前記第１の上り制御情報に対応する複数の伝送時間間隔の極値が前記第１の上りチャネルの伝送時間間隔よりも小さく、又は、
前記第１の上り制御情報に対応するサブキャリア間隔の極値が前記第１の上りチャネルのサブキャリア間隔よりも大きいことである。
【００３７】
第２の形態又は上記の実現可能な形式と結合し、第２の形態の他の実現可能な方式において、前記第４の関係は、
前記第１の上り制御情報に対応する伝送時間間隔の極値が前記第１の上りチャネルの伝送時間間隔の以上であり、又は、
前記第１の上り制御情報に対応するサブキャリア間隔の極値が前記第１の上りチャネルのサブキャリア間隔の以下であることである。
【００３８】
第２の形態又は上記の実現可能な形式と結合し、第２の形態の他の実現可能な方式において、
前記伝送パラメータが伝送時間間隔である場合、前記極値が前記複数の伝送時間間隔の最小値であり、又は、
前記伝送パラメータがサブキャリア間隔である場合、前記の極値が前記サブキャリア間隔の最大値である。
【００３９】
第２の形態又は上記の実現可能な形式と結合し、第２の形態の他の実現可能な方式において、前記第１の上り制御情報が複数の伝送パラメータに対応する場合、前記第１の上り制御情報に対応する伝送パラメータ及び前記第１の上りチャネルの伝送パラメータに基づいて、前記ネットワークデバイスが前記第１の時間ユニットに伝送されるチャネル及び/又は情報を確定することは、
前記ネットワークデバイスが第２の制御チャネルに前記第１の上り制御情報に含まれる第２の制御メッセージを受信すると確定することと、
前記ネットワークデバイスが前記第１の上りチャネルに前記第１の上り制御情報に含まれる第３の制御メッセージ、又は前記第１のメッセージを受信すると確定することとを含み、ここで、前記第１のメッセージは、前記第３の制御メッセージに関連するメッセージを含み、
ここで、前記第２の上り制御情報に対応する伝送パラメータと前記第１の上りチャネルの伝送パラメータとが第５の関係を満たしており、前記第３の上り制御情報に対応する伝送パラメータと前記第１の上りチャネルの伝送パラメータとが第６の関係を満たしている。
【００４０】
第２の形態又は上記の実現可能な形式と結合し、第２の形態の他の実現可能な方式において、前記第５の関係は、
前記第２の上り制御情報に対応する伝送時間間隔が前記第１の上りチャネルの伝送時間間隔よりも小さく、又は、
前記第２の上り制御情報に対応するサブキャリア間隔が前記第１の上りチャネルのサブキャリア間隔よりも大きいことを含む。
【００４１】
第２の形態又は上記の実現可能な形式と結合し、第２の形態の他の実現可能な方式において、前記第６の関係は、
前記第３の上り制御情報に対応する伝送時間間隔が前記第１の上りチャネルの伝送時間間隔の以上であり、又は、
前記第３の上り制御情報に対応するサブキャリア間隔が前記第１の上りチャネルのサブキャリア間隔の以下であることを含む。
【００４２】
第２の形態又は上記の実現可能な形式と結合し、第２の形態の他の実現可能な方式において、前記第１の上りチャネルは、第１の時間領域リソースにおいて受信し、前記第１の時間領域リソースは、前記第２の上り制御チャネルが占用する時間領域リソースを含まない。
【００４３】
第３の態様は、上記の第１の態様または第１の態様の任意の可能な実装における方法を実行するための端末デバイスを提供する。具体的には、端末デバイスは、上記の第１の態様または第１の態様の任意の可能な実装形態における方法を実行するための機能モジュールを含む。
【００４４】
第４の態様は、上記の第２の態様または第２の態様の任意の可能な実装における方法を実行するためのネットワークデバイスを提供する。特に、ネットワークデバイスは、上記の第２の態様または第２の態様の任意の可能な実装形態における方法を実行するための機能モジュールを含む。
【００４５】
第５の態様は、プロセッサと、メモリと、送受信機とを含む端末デバイスを提供する。プロセッサ、メモリ、および送受信機は、内部接続経路を介して互いに通信し、制御信号および/またはデータ信号を通信し、ネットワークデバイスに、上記の第１の態様または第１の態様の可能な実装形態のいずれかにおける方法を実行させる。
【００４６】
第６の態様では、プロセッサと、メモリと、送受信機とを含むネットワークデバイスが提供される。プロセッサ、メモリ、および送受信機は、内部接続経路を介して互いに通信し、制御信号および/またはデータ信号を通信し、ネットワークデバイスに、上記の第２の態様または第２の態様の可能な実装のいずれかにおける方法を実行させる。
【００４７】
第７の態様は、上記の第１の態様または第１の態様の任意の可能な実装を実行するための命令を含むコンピュータプログラムを記憶するためのコンピュータ可読媒体を提供する。
【００４８】
第８の態様は、上述の第２の態様または第２の態様の任意の可能な実装を実行するための命令を含むコンピュータプログラムを記憶するためのコンピュータ可読媒体を提供する。
【００４９】
第９の態様は、命令を備えるコンピュータプログラム製品を提供し、コンピュータ上で実行されると、コンピュータに、上述の第１の態様もしくは第１の態様の任意の１つの代替的な実装、または第２の態様もしくは第２の態様の任意の１つの代替的な実装における方法を実行させる。
【００５０】
このように、本発明の実施例では、端末デバイスが、第１の時間ユニットで伝送される必要がある第１の上り制御情報に対応する伝送パラメータと、第１の上りチャネルの伝送パラメータとに基づいて、第１の時間ユニットで伝送されるチャネル及び/又は情報を決定するようにしたので、時間ユニットで伝送されるチャネル及び/又は情報が、伝送される必要があるチャネル及び/又は情報の伝送パラメータに合わせて決定されるので、適切なチャネル及び/又は情報を選択して送信することができる。
【図面の簡単な説明】
【００５１】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例における無線通信方法のフローチャートである。
【図４】本願の実施例における端末デバイスのブロック図である。
【図５】本願の実施例におけるネットワークデバイスのブロック図である。
【図６】本願の実施例におけるシステムチップのブロック図である。
【図７】本願の実施例における通信デバイスのブロック図である。
【発明を実施するための形態】
【００５２】
以下、本技術の実施の形態について図面を参照して説明するが、本技術の実施の形態は、この実施の形態に限定されるものではなく、本技術の要旨を逸脱しない範囲において種々の変更が可能である。本発明の範囲から逸脱することなく、本発明の実施例に基づいて当業者等によりなされた他の実施例はすべて本発明の範囲に含まれる。
【００５３】
本願の実施例の技術的解決策は、例えば、グローバル移動通信( Ｇｌｏｂａｌ Ｓｙｓｔｅｍ ｏｆ Ｍｏｂｉｌｅ Ｃｏｍｍｕｎｉｃａｔｉｏｎ：ＧＳＭ )システム、符号分割多元接続( Ｃｏｄｅ Ｄｉｖｉｓｉｏｎ Ｍｕｌｔｉｐｌｅ Ａｃｃｅｓｓ：ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )システム、汎用パケット無線サービス( Ｇｅｎｅｒａｌ Ｐａｃｋｅｔ Ｒａｄｉｏ Ｓｅｒｖｉｃｅ：ＧＰＲＳ )、ロングタームエボリューション( Ｌｏｎｇ Ｔｅｒｍ Ｅｖｏｌｕｔｉｏｎ：ＬＴＥ )システム、ＬＴＥ周波数分割複信( Ｆｒｅｑｕｅｎｃｙ Ｄｉｖｉｓｉｏｎ Ｄｕｐｌｅｘ：ＦＤＤ )システム、ＬＴＥ時分割複信( Ｔｉｍｅ Ｄｉｖｉｓｉｏｎ Ｄｕｐｌｅｘ：ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ：ＵＭＴＳ )、又はグローバル相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ：ＷｉＭＡＸ )通信システム、及び将来生じ得る５Ｇ（Ｎｅｗ Ｒａｄｉｏ：ＮＲ）システムに適用され得ることが理解されるべきである。
【００５４】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ：ＢＴＳ )、ＷＣＤＭＡシステムにおける基地局( ＮｏｄｅＢ：ＮＢ )、ＬＴＥシステムにおける発展型基地局( Ｅｖｏｌｕｔｉｏｎａｌ Ｎｏｄｅ Ｂ：ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ：ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ：ＰＬＭＮ )におけるネットワークデバイスなどであってもよい。
【００５５】
当該無線通信システム１００は、ネットワークデバイス１１０のカバレージ内に配置された少なくとも１つの端末デバイス１２０をさらに含む。端末デバイス１２０は、移動型であってもよく、固定型であってもよい。任意選択で、端末デバイス１２０は、アクセス端末、ユーザ機器( Ｕｓｅｒ Ｅｑｕｉｐｍｅｎｔ：ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ )電話、ワイヤレスローカルループ( Ｗｉｒｅｌｅｓｓ Ｌｏｃａｌ Ｌｏｏｐ：ＷＬＬ )局、パーソナルデジタル処理( Ｐｅｒｓｏｎａｌ Ｄｉｇｉｔａｌ Ａｓｓｉｓｔａｎｔ：ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５６】
任意選択で、端末デバイス１２０間の端末直接接続( Ｄｅｖｉｃｅ ｔｏ Ｄｅｖｉｃｅ：Ｄ２Ｄ )通信が行われてもよい。
【００５７】
任意選択で、５Ｇシステム又はネットワークは、新たな無線( Ｎｅｗ Ｒａｄｉｏ：ＮＲ )システム又はネットワークと呼ばれることもある。
【００５８】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００５９】
選択可能で、無線通信システム１００は、ネットワークコントローラ、モビリティ管理エンティティなどの他のネットワークエンティティをさらに含むことができ、本願の実施例はこれに限定されない。
【００６０】
本願の明細書において、「システム」および「ネットワーク」という用語は、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、明細書の「/」の文字は、前後の関連オブジェクトが一種の「または」の関係であることを一般的に示す。
【００６１】
図２は、本発明の実施例による、無線通信方法２００の概略的なフローチャートである。方法２００は、任意選択で、図１に示されるシステムに適用され得るが、これに限定されない。方法２００は、以下のコンテンツの少なくとも一部を含む。
【００６２】
２１０において、端末デバイスが第１の時間ユニットにおいてネットワークデバイスに第１の上り制御情報及び第１の上りチャネルを送信する必要があると確定し、ここで、第１の上りチャネルは、第１の上り制御情報の以外の他の情報を搬送し、第１の上りチャネルを送信する時間領域リソースは、第１の上り制御情報を送信する時間領域リソースの少なくとも一部の時間領域リソースを含む。
【００６３】
任意選択で、端末デバイスが第１の時間ユニットに第１の上り制御情報と第１の上りチャネルを送信するように予め設定してもよい（例えば、ネットワークデバイスの事前設定又は出荷時の事前設定）。
【００６４】
任意選択で、第１の上りチャネルは、第１の上り制御情報の以外の他の情報を搬送するように予め設定される。
【００６５】
任意選択で、第１の上りチャネルは、第１の上り共有チャネル又は第１の上り制御チャネルであってもよい。
【００６６】
例えば、第１の上りチャネルが第１の上り共有チャネルである場合、第１の上りチャネルは、ネットワークデバイスに送信するデータを搬送するように構成される。
【００６７】
例えば、第１の上りチャネルが第１の上り制御チャネルである場合、第１の上りチャネルは、ネットワークデバイスに送信するスケジューリング要求情報又は確定（Ａｃｋｎｏｗｌｅｄｇｅ、ＡＣＫ）/否定応答（Ｎｏｎ−Ａｃｋｎｏｗｌｅｄｇｅ、ＮＡＣＫ）メッセージ等を搬送するように構成される。
【００６８】
ここで、第１の上りチャネルが送信される時間領域リソースとは、端末デバイスに予め設定された第１の上りチャネルを送信する時間領域リソースを意味する。第１の上り制御情報を送信する時間領域リソースとは、端末デバイスに予め設定された第１の上り制御情報を送信する時間領域リソースである。
【００６９】
任意選択で、第１の上り制御情報は、以下のもののうちの少なくとも１つを含み、
少なくとも１つの上り論理チャネルに対応するスケジューリング要求情報であり、この１ビットの情報は、１ビットのメッセージであってもよく、端末デバイスの対応する上り論理チャネルにデータ送信の必要が有るか否かを示す情報であり、例えば、１はデータ送信有り、０はデータ送信無しを示し、
少なくとも１つの下り論理チャネルに対応する確定／否定応応答メッセージ、及び
少なくとも１セットの下り物理リソースで測定されたチャネル状態情報である。
【００７０】
任意選択で、第1の上り制御情報がスケジューリング要求である場合に、第1の上りチャンネルは、上りデータを搬送するデータチャネル、ACK/ NACKを搬送するチャンネル、またはチャネル状態情報を搬送するチャンネルであってもよい。
【００７１】
任意選択で、第１の上り制御情報がＡＣＫ／ＮＡＣＫメッセージである場合、第１の上りチャネルは、スケジューリング要求情報を搬送するチャネル、上りデータを搬送するデータチャネル、又はチャネル状態情報を搬送するチャネルであってもよい。
【００７２】
任意選択で、第１の上り制御情報がチャネル状態情報である場合に、第１の上りチャネルは、スケジューリング要求情報を搬送するチャネル、上りデータを搬送するデータチャネル、又はチャネル状態情報を搬送するチャネルであってもよい。
【００７３】
任意選択で、本願の実施例で言及された論理チャネルは、伝送されるべきサービスに一対一に対応してもよい。
【００７４】
２２０において、第１の上り制御情報に対応する伝送パラメータ及び第１の上りチャネルの伝送パラメータに基づいて、端末デバイスは第１の時間ユニットに伝送されるチャネル及び/又は情報を確定する。
【００７５】
任意選択で、第１の上り制御情報が少なくとも１つの上り論理チャネルに対応するスケジューリング要求情報を含む場合、当該第１の上り制御情報に対応する伝送パラメータは、少なくとも１つの上り論理チャネルの伝送パラメータを含む。
【００７６】
任意選択で、第１の上り制御情報が少なくとも１つの下り論理チャネルに対応する確定／否定応応答メッセージを含む場合、当該第１の上り制御情報に対応する伝送パラメータは、当該少なくとも１つの下り物理チャネルの伝送パラメータであってもよい。
【００７７】
任意選択で、第１の上り制御情報が少なくとも１セットの下り物理リソースで測定されたチャネル状態情報のうちの少なくとも１つを含む場合、当該第１の上り制御情報に対応する伝送パラメータは、少なくとも１セットの下り物理リソースの伝送パラメータであってもよい。
【００７８】
任意選択で、本願の実施例の伝送パラメータは、伝送時間間隔又はサブキャリア間隔であってもよい。もちろ、他のパラメータ、例えば、シンボル長さであってもよい。
【００７９】
任意選択で、端末デバイスにより確定された、第１の時間ユニットに伝送されるメッセージは、第１の上り制御情報又は第１のメッセージを含み、第１のメッセージは、第１の上り制御情報が示す内容に関連する内容を含む。勿論、第１の時間ユニットに伝送されるメッセージは、予め構成された第１の上りチャネルが送信する必要があるメッセージを含んでもよい。
【００８０】
任意選択で、第１の上り制御情報が上り論理チャネルに対応するスケジューリング要求情報である場合、第１のメッセージが上り論理チャネルに対応するバッファー状態報告（Ｂｕｆｆｅｒ Ｓｔａｔｅ Ｒｅｐｏｒｔ、ＢＳＲ）メッセージである。
【００８１】
任意選択で、端末デバイスにより確定された第１の時間ユニットに伝送されるチャネルは、第１の上りチャネル、及び／又は第１の上りチャネルの以外の第２の上り制御チャネルを含み、ここで、当該第２の上り制御チャネルは、予め設定された第１の上り制御情報を送信するチャネルである。
【００８２】
任意選択で、第１の時間ユニットに伝送されるチャネルは、第２の上り制御チャネルを含まなく、第１の上りチャネルを含む場合、第１の時間ユニットに第１の上りチャネルにおいて伝送するメッセージは、第１のメッセージ又は第１の上り制御情報を含む。
【００８３】
任意選択で、第１の時間ユニットにおいて伝送するチャネルが第２の上り制御チャネルを含む場合、第１の時間ユニットにおいて第２の上り制御チャネルに伝送するメッセージは、第１の上り制御情報を含む。
【００８４】
任意選択で、第１の上り制御情報は、１つの伝送パラメータ又は複数の伝送パラメータに対応してもよい。
【００８５】
ここで、第１の上り制御情報が１つの伝送パラメータに対応することは、特定の伝送パラメータについて、その送信パラメータの値が１つであること、例えば、１サブキャリア間隔又は１送信時間間隔であることを意味する。
【００８６】
第１の上り制御情報が複数の伝送パラメータに対応することは、特定の伝送パラメータについて、その伝送パラメータの値が複数であり、例えば、複数のサブキャリア間隔又は複数の伝送時間間隔であることを意味する。
【００８７】
例えば、第１の上り制御情報が１つの論理チャネルに対応するスケジューリング要求情報を含む場合、その第１の上り制御情報は１つの伝送パラメータに対応する。
【００８８】
例えば、第１の上り制御情報が複数の論理チャネルに対応するスケジューリング要求情報を含む場合、各論理チャネルの伝送パラメータが同じであれば、その第１の上り制御情報は１つの伝送パラメータに対応する。
【００８９】
例えば、第１の上り制御情報が複数の論理チャネルに対応するスケジューリング要求情報を含む場合に、複数の論理チャネルのうち少なくとも一部の論理チャネルの伝送パラメータが他の論理チャネルの伝送パラメータと異なる場合、当該第１の上り制御情報は複数の伝送パラメータに対応する。
【００９０】
本発明の理解を容易にするために、第１の時間ユニットで送信されるチャネル及び/又は情報がどのように決定されるかについては、第１の上り制御情報に対応する伝送パラメータがそれぞれ１つ以上である場合を例に挙げて説明する。
【００９１】
実施例において、表１を参照しながら説明する。ここで、表１において、第１の上りチャネルが物理上り共有チャネル（Ｐｈｙｓｉｃａｌ Ｕｐｌｉｎｋ Ｓｈａｒｅｄ Ｃｈａｎｎｅｌ、ＰＵＳＣＨ）、第１の上り制御情報が予め構成された物理上り共有チャネル（Ｐｈｙｓｉｃａｌ Ｕｐｌｉｎｋ Ｃｏｎｔｒｏｌ Ｃｈａｎｎｅｌ、ＰＵＣＣＨ）を介して送信されたスケジューリング要求情報である。
【表１】
2020526060.tif 000012
2020526060.tif 000013
【００９２】
以下の複数の例の間の特徴は、矛盾なく、互いに利用可能であることを理解されたい。  
【００９３】
例Ａ
第１の上り制御情報が１つの伝送パラメータに対応する場合、第１の上り制御情報に対応する伝送パラメータと第１の上りチャネルの伝送パラメータが第１の関係を満たしている場合、端末デバイスは、第１の時間ユニットに伝送されるチャネルが第２の制御チャネルを含み、第１の時間ユニットに第２の制御チャネルに伝送するメッセージが第１の上り制御情報を含むと確定し、又は、
第１の上り制御情報に対応する伝送パラメータと第１の上りチャネルの伝送パラメータが第２の関係を満たしている場合、端末デバイスは、第１の時間ユニットに伝送されるチャネルが第１の上りチャネルを含み、第１の上りチャネルに伝送されるメッセージが第１の上り制御情報又は第１のメッセージを含むと確定する。
【００９４】
任意選択で、第１の関係は、第１の上り制御情報に対応する伝送時間間隔が第１の上りチャネルの伝送時間間隔よりも小さく、又は、第１の上り制御情報に対応するサブキャリア間隔が第１の上りチャネルのサブキャリア間隔よりも大きいことである。
【００９５】
任意選択で、第２の関係は、第１の上り制御情報に対応する伝送時間間隔が第１の上りチャネルの伝送時間間隔の以上であり、又は、第１の上り制御情報に対応するサブキャリア間隔が第１の上りチャネルのサブキャリア間隔の以下であることである。
【００９６】
例えば、表１のインデックス１の例のように、第１の上りチャネルとしてのＰＵＳＣＨのＴＴＩが０．５ｍｓであり、第１の上り制御情報に対応する伝送パラメータは、１つの論理チャネルのＴＴＩを含み、当該ＴＴＩが１ｍｓであり、０.５ｍｓが１ｍｓより小さいため、ＰＵＳＣＨを利用して論理チャネル１に対応するＢＳＲを伝送する。
【００９７】
例えば、表１のインデックス２の例のように、第１の上りチャネルとしてのＰＵＳＣＨのサブキャリア間隔が３０ｋＨｚであり、第１の上り制御情報に対応する伝送パラメータは、１つの論理チャネルのサブキャリア間隔を含み、当該サブキャリア間隔が１５ｋＨｚであり、３０ｋＨＺが１５ｋＨＺよりも小さいため、ＰＵＳＣＨを利用して論理チャネル１に対応するＢＳＲを伝送する。
【００９８】
例えば、表１のインデックス３の例のように、第１の上りチャネルとしてのＰＵＳＣＨのＴＴＩが０.５ｍｓであり、第１の上り制御情報に対応する伝送パラメータは、１つの論理チャネルのＴＴＩを含み、当該ＴＴＩが０.２ｍｓであり、０.５ｍｓが１ｍｓよりも大きいため、ＰＵＣＣＨを利用して当該上りスケジューリング要求を伝送する。
【００９９】
例えば、表１のインデックス４の例のように、第１の上りチャネルとしてのＰＵＳＣＨのサブキャリア間隔が１５ｋＨｚであり、第１の上り制御情報に対応する伝送パラメータは、１つの論理チャネルのサブキャリア間隔を含み、当該サブキャリア間隔が３０ｋＨｚであり、１５ｋＨＺが１５ｋＨＺよりも大きいため、ＰＵＣＣＨを利用して当該上りスケジューリング要求を伝送する。
【０１００】
例Ｂ
第１の上り制御情報が複数の伝送パラメータに対応する場合、第１の上り制御情報に対応する複数の伝送パラメータ内の極値と第１の上りチャネルの伝送パラメータが第３の関係を満たしている場合、端末デバイスは、第１の時間ユニットに伝送されるチャネルが第２の制御チャネルを含み、第１の時間ユニットに第２の制御チャネルにおいて伝送されるメッセージが第１の上り制御情報を含むと確定し、又は、
第１の上り制御情報に対応する複数の伝送パラメータ内の極値と第１の上りチャネルの伝送パラメータが第４の関係を満たしている場合、端末デバイスは、第１の時間ユニットに伝送されるチャネルが第１の上りチャネルを含み、第１の時間ユニットに第１の上りチャネルにおいて伝送されるメッセージが第１の上り制御情報又は第１のメッセージを含むと確定する。
【０１０１】
任意選択で、第３の関係は、第１の上り制御情報に対応する複数の伝送時間間隔の極値が第１の上りチャネルの伝送時間間隔より小さく、又は、
第１の上り制御情報に対応するサブキャリア間隔の極値が第１の上りチャネルのサブキャリア間隔よりも大きいことである。
【０１０２】
任意選択で、第４の関係は、第１の上り制御情報に対応する伝送時間間隔の極値が第１の上りチャネルの伝送時間間隔の以上であり、又は、第１の上り制御情報に対応するサブキャリア間隔の極値が第１の上りチャネルのサブキャリア間隔の以下であることである。  
【０１０３】
任意選択で、伝送パラメータが伝送時間間隔である場合、極値が複数の伝送時間間隔の最小値、又は、
伝送パラメータがサブキャリア間隔である場合、極値はサブキャリア間隔の最大値である。
【０１０４】
例えば、表１のインデックス５の例のように、第１の上りチャネルとしてのＰＵＳＣＨのＴＴＩが０.２ｍｓであり、第１の上り制御情報に対応する伝送パラメータが論理チャネル１、２の２つの論理チャネルのＴＴＩを含み、当該２つの論理チャネルのＴＴＩがそれぞれ１ｍｓと０.５ｍｓであり、０.５ｍｓと１ｍｓの最小値が０.２ｍｓより大きいため、ＰＵＳＣＨを利用して論理チャネル１、２に対応するＢＳＲを伝送する。
【０１０５】
例えば、表１のインデックス６の例のように、第１の上りチャネルとしてのＰＵＳＣＨのサブキャリア間隔が６０ｋＨｚであり、第１の上り制御情報に対応する伝送パラメータが論理チャネル１、２の２つの論理チャネルのサブキャリア間隔を含み、当該２つの論理チャネルのサブキャリア間隔がそれぞれ１５ｋＨｚと３０ｋＨｚであり、１５ｋＨｚと３０ｋＨｚの最大値が６０ｋＨｚより小さいため、ＰＵＳＣＨを利用して論理チャネル１、２に対応するＢＳＲを伝送する。
【０１０６】
例えば、表１のインデックス７の例のように、第１の上りチャネルとしてのＰＵＳＣＨのＴＴＩが１ｍｓであり、第１の上り制御情報に対応する伝送パラメータが論理チャネル１、２の２つの論理チャネルのＴＴＩを含み、当該２つの論理チャネルのＴＴＩがそれぞれ０.２ｍｓと０.５ｍｓであり、０.５ｍｓと１ｍｓの最小値が０.２ｍｓより小さいため、ＰＵＣＣＨを利用して前記上りスケジューリング要求を伝送する。
【０１０７】
例えば、表１のインデックス８の例にように、第１の上りチャネルとしてのＰＵＳＣＨのサブキャリア間隔が１５ｋＨｚであり、第１の上り制御情報に対応する伝送パラメータが論理チャネル１、２の２つの論理チャネルのサブキャリア間隔を含み、当該２つの論理チャネルのサブキャリア間隔がそれぞれ６０ｋＨｚと３０ｋＨｚであり、６０ｋＨｚと３０ｋＨｚの最大値が６０ｋＨｚより大きいため、ＰＵＣＣＨを利用して前記上りスケジューリング要求を伝送する。
【０１０８】
例Ｃ
第１の上り制御情報が複数の伝送パラメータに対応する場合、端末デバイスは、第１の時間ユニットに伝送されるチャネルが第２の制御チャネルを含み、第１の時間ユニットに第２の制御チャネルにおいて伝送されるメッセージが第１の上り制御情報に含まれる第２の制御メッセージを含むと確定し、
端末デバイスは、第１の時間ユニットに伝送されるチャネルが第１の上りチャネルを含み、第１の時間ユニットに第１の上りチャネルにおいて伝送されるメッセージが第１の上り制御情報に含まれる第３の制御メッセージを含み、又は第１のメッセージを含むと確定し、ここで、第１のメッセージは、第３の制御メッセージに関連するメッセージを含み、  ここで、第２の上り制御情報に対応する伝送パラメータと第１の上りチャネルの伝送パラメータとが第５の関係を満たし、第３の上り制御情報に対応する伝送パラメータと第１の上りチャネルの伝送パラメータとが第６の関係を満たしている。
【０１０９】
任意選択で、第５の関係は、第２の上り制御情報に対応する伝送時間間隔が第１の上りチャネルの伝送時間間隔よりも小さいく、又は、
第２の上り制御情報に対応するサブキャリア間隔が第１の上りチャネルのサブキャリア間隔よりも大きいことを含む。
【０１１０】
任意選択で、第６の関係は、第３の上り制御情報に対応する伝送時間間隔が第１の上りチャネルの伝送時間間隔の以上であり、又は、第３の上り制御情報に対応するサブキャリア間隔が第１の上りチャネルのサブキャリア間隔の以下のであることを含む。
【０１１１】
任意選択で、伝送する際、第１の時間ユニットに伝送されるチャネルが第１の上りチャネルと第２の上り制御チャネルを含む場合、第１の上りチャネルが第１の時間領域リソースを占用して伝送し、第１の時間領域リソースは、第２の上り制御チャネルが占用する時間領域リソースを含まない。
【０１１２】
例えば、表１のインデックス９の例のように、第１の上りチャネルとしてのＰＵＳＣＨのＴＴＩが０.５ｍｓであり、第１の上り制御情報に対応する伝送パラメータが論理チャネル１、２の２つの論理チャネルのＴＴＩを含み、当該２つの論理チャネルのＴＴＩがそれぞれ１ｍｓと０.２ｍｓであり、ＰＵＳＣＨを利用して論理チャネル１に対応するＢＳＲを伝送し、又は、ＰＵＣＣＨを利用して論理チャネル２に対応する上りスケジューリング要求を伝送する。
【０１１３】
例えば、表１のインデックス１０の例のように、第１の上りチャネルとしてのＰＵＳＣＨのサブキャリア間隔が３０ｋＨｚであり、第１の上り制御情報に対応する伝送パラメータが論理チャネル１、２の２つの論理チャネルのサブキャリア間隔を含み、当該２つの論理チャネルのサブキャリア間隔がそれぞれ１５ｋＨｚと６０ｋＨｚであり、ＰＵＳＣＨを利用して論理チャネル１に対応するＢＳＲを伝送し、又はＰＵＣＣＨを利用して論理チャネル２に対応する上りスケジューリング要求を伝送する。
【０１１４】
そして、本願の実施例において、端末デバイスは、第１の時間ユニットに伝送される第１の上り制御情報に対応する伝送パラメータ及び第１の上りチャネルの伝送パラメータに基づいて、前記第１の時間ユニットに伝送されるチャネル及び/又は情報を確定し、時間ユニットに伝送されるチャネル及び/又は情報は、伝送される必要があるチャネル及び/又は情報の伝送パラメータに基づいて確定したものであり、可適当なチャネル及び/又は情報を選択して送信することができる。
【０１１５】
さらに、選択された上りチャネルが第１の上りチャネル含み、第１の上り制御情報を送信するための第２の制御チャネルを含まない場合、第１の上り制御情報又は第１の上り制御情報に関するメッセージを第１の上りチャネルに多種して送信することで、伝送リソースを節約することができる。
【０１１６】
さらに、送信すべき第１の上り制御情報が対応するＴＴＩが第１の制御チャネルのＴＴＩより大きい場合、大きいＴＴＩは低いＴＴＩよりも遅延の要求が低いことから、低いＴＴＩを有する上り制御情報又は関連情報を低いＴＴＩを有する上りチャンネルで送信することができ、該上り制御情報の遅延の要求を低下させることなく伝送リソースを節約することができる。
【０１１７】
同様に、送信すべき第１の上り制御情報に対応するサブキャリア間隔が第１の制御チャネルのサブキャリア間隔よりも小さい場合には、小さいサブキャリア間隔の方が大きいサブキャリア間隔よりも遅延時間の要求が低いので、当該第１の上り制御情報又は関連情報を、大きいサブキャリア間隔の上りチャンネルで送信することができ、上り制御情報の遅延時間の要求を低下させることなく、送信リソースを節約することができる。
【０１１８】
図３は本願の実施例における無線通信方法３００のフローチャートである。当該方法３００は、以下の少なくとも一部のを含む。
【０１１９】
３１０において、ネットワークデバイスが第１の時間ユニットにおいて端末デバイスにより送信された第１の上り制御情報及び第１の上りチャネルを受信する必要があると確定し、ここで、第１の上りチャネルは、第１の上り制御情報の以外の他の情報を搬送し、第１の上りチャネルの時間領域リソースは、第１の上り制御情報の時間領域リソースの少なくとも一部の時間領域リソースを含む。
【０１２０】
３２０において、第１の上り制御情報に対応する伝送パラメータ及び第１の上りチャネルの伝送パラメータに基づいて、ネットワークデバイスは、第１の時間ユニットに受信されるチャネル及び/又は情報を確定する。
【０１２１】
任意選択で、第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、  少なくとも１セットの下り物理リソースで測定されたチャネル状態情報のうちの少なくとも１つを含む。
【０１２２】
任意選択で、第１の上り制御情報に対応する伝送パラメータは、
少なくとも１つの上り論理チャネルの伝送パラメータ、
少なくとも１つの下り物理チャネルの伝送パラメータ、
少なくとも１セットの下り物理リソースの伝送パラメータのうちの少なくとも１つを含む。
【０１２３】
任意選択で、伝送パラメータは、
伝送時間間隔ＴＴＩ、
サブキャリア間隔のうちの少なくとも１つを含む。
【０１２４】
任意選択で、第１の上りチャネルが第１の上り共有チャネル、又は、
第１の上りチャネルが第１の上り制御チャネルである。
【０１２５】
任意選択で、確定された、第１の時間ユニットに受信されるチャネルは、第１の上りチャネル、及び／又は第１の上りチャネルの以外の第２の上り制御チャネルを含む。
【０１２６】
任意選択で、確定された、第１の時間ユニットに受信されるメッセージは、第１の上り制御情報又は第１のメッセージを含み、第１のメッセージは、第１の上り制御情報が示す内容に関連する内容を含む。
【０１２７】
任意選択で、第１の時間ユニットに受信されるチャネルは、第１の上りチャネルを含み、第２の上り制御チャネルを含まない場合、第１の時間ユニットに第１の上りチャネルにおいて受信するメッセージは、第１のメッセージ又は第１の上り制御情報を含み、又は、  第１の時間ユニットに受信されるチャネルが第２の上り制御チャネルを含む場合、第１の時間ユニットに第２の上り制御チャネルにおいて受信するメッセージが第１の上り制御情報を含む。
【０１２８】
任意選択で、第１の上り制御情報が上り論理チャネルに対応するスケジューリング要求情報である場合、第１のメッセージが上り論理チャネルに対応するバッファー状態報告ＢＳＲメッセージである。
【０１２９】
任意選択で、第１の上り制御情報が１つの伝送パラメータに対応する場合、第１の上り制御情報に対応する伝送パラメータ及び第１の上りチャネルの伝送パラメータに基づいて、ネットワークデバイスが第１の時間ユニットに受信されるチャネル及び/又は情報を確定することは、 
第１の上り制御情報に対応する伝送パラメータと第１の上りチャネルの伝送パラメータとが第１の関係を満たしている場合、ネットワークデバイスは、第１の時間ユニットに受信されるチャネルが第２の制御チャネルを含み、第１の時間ユニットに第２の制御チャネルにおいて受信するメッセージが第１の上り制御情報を含むと確定し、又は、
第１の上り制御情報に対応する伝送パラメータと第１の上りチャネルの伝送パラメータとが第２の関係を満たしている場合、ネットワークデバイスは、第１の時間ユニットに受信されるチャネルが第１の上りチャネルを含み、第１の上りチャネルにおいて伝送するメッセージが第１の上り制御情報又は第１のメッセージを含むと確定する。
【０１３０】
任意選択で、第１の関係は、
第１の上り制御情報に対応する伝送時間間隔が第１の上りチャネルの伝送時間間隔より小さく、又は、
第１の上り制御情報に対応するサブキャリア間隔が第１の上りチャネルのサブキャリア間隔より大きいことである。
【０１３１】
任意選択で、第２の関係は、
第１の上り制御情報に対応する伝送時間間隔が第１の上りチャネルの伝送時間間隔の以上であり、又は、
第１の上り制御情報に対応するサブキャリア間隔が第１の上りチャネルのサブキャリア間隔の以下であることである。
【０１３２】
任意選択で、第１の上り制御情報が複数の伝送パラメータに対応する場合、第１の上り制御情報に対応する伝送パラメータ及び第１の上りチャネルの伝送パラメータに基づいて、ネットワークデバイスが第１の時間ユニットに受信されるチャネル及び/又は情報を確定することは、
第１の上り制御情報に対応する複数の伝送パラメータ内の極値と第１の上りチャネルの伝送パラメータとが第３の関係を満たしている場合、ネットワークデバイスは、第１の時間ユニットに受信されるチャネルが第２の制御チャネルを含み、第１の時間ユニットに第２の制御チャネルにおいて受信するメッセージが第１の上り制御情報を含むと確定し、又は、
第１の上り制御情報に対応する複数の伝送パラメータ内の極値と第１の上りチャネルの伝送パラメータとが第４の関係を満たしている場合、ネットワークデバイスが第１の時間ユニットに受信されるチャネルが第１の上りチャネルを含み、第１の時間ユニットに第１の上りチャネルにおいて受信するメッセージが第１の上り制御情報又は第１のメッセージを含むと確定する。
【０１３３】
任意選択で、第３の関係は、
第１の上り制御情報に対応する複数の伝送時間間隔の極値が第１の上りチャネルの伝送時間間隔より小さく、又は、
第１の上り制御情報に対応するサブキャリア間隔の極値が第１の上りチャネルのサブキャリア間隔より大きいことである。
【０１３４】
任意選択で、第４の関係は、
第１の上り制御情報に対応する伝送時間間隔の極値が第１の上りチャネルの伝送時間間隔の以上であり、又は、
第１の上り制御情報に対応するサブキャリア間隔の極値が第１の上りチャネルのサブキャリア間隔の以下であることである。
【０１３５】
任意選択で、伝送パラメータが伝送時間間隔である場合、極値が複数の伝送時間間隔の最小値、又は、
伝送パラメータがサブキャリア間隔である場合、極値がサブキャリア間隔の最大値である。
【０１３６】
任意選択で、第１の上り制御情報が複数の伝送パラメータに対応する場合、第１の上り制御情報に対応する伝送パラメータ及び第１の上りチャネルの伝送パラメータに基づいて、ネットワークデバイスが第１の時間ユニットに伝送されるチャネル及び/又は情報を確定することは、
ネットワークデバイスは、第１の時間ユニットに受信されるチャネルが第２の制御チャネルを含み、第１の時間ユニットに第２の制御チャネルにおいて受信されるメッセージが第１の上り制御情報に含まれる第２の制御メッセージを含むと確定し、
ネットワークデバイスは、第１の時間ユニットに受信されるチャネルが第１の上りチャネルを含み、第１の時間ユニットに第１の上りチャネルにおいて受信されるメッセージが第１の上り制御情報に含まれる第３の制御メッセージを含むと確定し、又は、第１のメッセージを含むと確定し、ここで、第１のメッセージは、第３の制御メッセージに関連うするメッセージを含み、
ここで、第２の上り制御情報に対応する伝送パラメータと第１の上りチャネルの伝送パラメータとが第５の関係を満たし、第３の上り制御情報に対応する伝送パラメータと第１の上りチャネルの伝送パラメータとが第６の関係を満たす。
【０１３７】
任意選択で、第５の関係は、
第２の上り制御情報に対応する伝送時間間隔が第１の上りチャネルの伝送時間間隔よりも小さく、又は、
第２の上り制御情報に対応するサブキャリア間隔が第１の上りチャネルのサブキャリア間隔よりも大きいこと含む。
【０１３８】
任意選択で、第６の関係は、
第３の上り制御情報に対応する伝送時間間隔が第１の上りチャネルの伝送時間間隔の以上であり、又は、
第３の上り制御情報に対応するサブキャリア間隔が第１の上りチャネルのサブキャリア間隔の以下であることを含む。
【０１３９】
任意選択で、第１の上りチャネルが第１の時間領域リソースにおいて受信し、第１の時間領域リソースは、第２の制御上りチャネルが占用する時間領域リソースを含まない。
【０１４０】
なお、図３に示す方法の記載は、図２のものを参照し、簡潔のために、ここで説明を省略する。
【０１４１】
図４は本願の実施例における端末デバイス４００のブロック図である。図４に示すように、当該端末デバイス４００は、第１の確定ユニット４１０及び第２の確定ユニット４２０を含む。
【０１４２】
ここで、前記第１の確定ユニット４１０は、第１の時間ユニットにおいてネットワークデバイスに第１の上り制御情報と第１の上りチャネルを送信する必要があると確定するように構成され、ここで、前記第１の上りチャネルは、前記第１の上り制御情報の以外の他の情報を搬送し、前記第１の上りチャネルを送信する時間領域リソースは、前記第１の上り制御情報を送信する時間領域リソースの少なくとも一部の時間領域リソースを含む。
【０１４３】
前記第２の確定ユニット４２０は、前記第１の上り制御情報に対応する伝送パラメータ及び前記第１の上りチャネルの伝送パラメータに基づいて、前記第１の時間ユニットに伝送されるチャネル及び/又は情報を確定するように構成される。
【０１４４】
なお、当該端末デバイス４００は、図２の端末デバイスの操作を実行し、例えば、第２の確定ユニット４２０は、前記第１の上り制御情報に対応する伝送パラメータ及び前記第１の上りチャネルの伝送パラメータに基づいて、前記第１の時間ユニットに伝送されるチャネル及び/又は情報を確定することは、上記の端末デバイスの記載を参照し、簡潔のため、ここで説明を省略する。
【０１４５】
図５は本願の実施例におけるネットワークデバイス５００のブロック図である。図５に示すように、当該ネットワークデバイスは、第１の確定ユニット５１０及び第２の確定ユニット５２０を含む。
【０１４６】
前記第１の確定ユニット５１０は、第１の時間ユニットに端末デバイスにより送信された第１の上り制御情報と第１の上りチャネルを受信すると確定するように構成され、ここで、前記第１の上りチャネルは、前記第１の上り制御情報の以外の他の情報を搬送し、前記第１の上りチャネルの時間領域リソースは、前記第１の上り制御情報の時間領域リソースの少なくとも一部の時間領域リソースを含み、
前記第２の確定ユニット５２０は、前記第１の上り制御情報に対応する伝送パラメータ及び前記第１の上りチャネルの伝送パラメータに基づいて、前記第１の時間ユニットに受信されるチャネル及び/又は情報を確定するように構成される。
【０１４７】
なお、当該ネットワークデバイス５００は、図３のネットワークデバイスの操作を実行し、例えば、第２の確定ユニット５２０は、前記第１の上り制御情報に対応する伝送パラメータ及び前記第１の上りチャネルの伝送パラメータに基づいて、前記第１の時間ユニットに受信されるチャネル及び/又は情報を確定することは、上記のネットワークデバイスの記載を参照し、簡潔のため、ここで説明を省略する。
【０１４８】
図６は、本発明の実施例に係るシステムチップ６００の概略構成図である。図６のシステムオンチップ６００は、入力インターフェース６０１、出力インターフェース６０２、メモリ５０４内のコードを実行するプロセッサ６０３、及びメモリ６０４を含み、それらの間を内部通信接続線によって接続することができる。
【０１４９】
任意選択で、コードが実行されると、プロセッサ６０３は、方法の実施例においてネットワークデバイスによって実行される方法を実施する。簡潔にするために、ここでは繰り返し説明しない。
【０１５０】
任意選択で、コードが実行されると、プロセッサ６０３は、方法の実施例において端末デバイスによって実行される方法を実施する。簡潔にするために、ここでは繰り返し説明しない。
【０１５１】
図７は、本発明の実施例による通信デバイス７００の概略ブロック図である。図７に示すように、通信デバイス７００は、プロセッサ７１０と、メモリ７２０とを有する。メモリ７２０は、プロセッサ７１０がメモリ７２０に記憶されたプログラムコードを実行することができるプログラムコードを記憶することができる。
【０１５２】
任意選択で、図７に示すように、通信デバイス７００は、プロセッサ７１０が外部と通信するように制御することができる送受信機７３０を含んでもよい。
【０１５３】
任意選択で、プロセッサ７１０は、メモリ７２０に記憶されたプログラムコードを呼び出して、方法の実施例におけるネットワークデバイスの対応する動作を実行してもよく、簡潔のためにここでは詳しい説明を省略する。
【０１５４】
任意選択で、プロセッサ７１０は、メモリ７２０に記憶されたプログラムコードを呼び出して、方法の実施例における端末デバイスの対応する動作を実行してもよく、簡潔のためにここでは詳しい説明を省略する。
このように、本発明の実施例では、端末デバイスが、第１の時間ユニットで伝送される必要がある第１の上り制御情報に対応する伝送パラメータと、第１の上りチャネルの伝送パラメータとに基づいて、第１の時間ユニットで伝送されるチャネル及び/又は情報を決定するようにしたので、時間ユニットで伝送されるチャネル及び/又は情報が、伝送される必要があるチャネル及び/又は情報の伝送パラメータに合わせて決定されるので、適切なチャネル及び/又は情報を選択して送信することができる。
【０１５５】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１５６】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１５７】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５８】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１５９】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６０】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１６１】
また、本発明の各実施例における各機能部は、１つの処理部に集積されてもよく、各部は、物理的に別個に存在してもよく、２つ以上の部が１つの部に集積されてもよい。
【０１６２】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１６３】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【手続補正２】
【補正対象書類名】特許請求の範囲
【補正対象項目名】全文
【補正方法】変更
【補正の内容】
【特許請求の範囲】
【請求項１】
端末デバイスが第１の時間ユニットにおいてネットワークデバイスに第１の上り制御情報及び第１の上りチャネルを送信する必要があると確定することと、
前記第１の上り制御情報に対応する伝送パラメータ及び前記第１の上りチャネルの伝送パラメータに基づいて、前記端末デバイスが前記第１の時間ユニットに伝送されるチャネル及び/又は情報を確定することとを含み、
前記第１の上りチャネルは、前記第１の上り制御情報の以外の他の情報を搬送し、前記第１の上りチャネルを送信する時間領域リソースは、前記第１の上り制御情報を送信する時間領域リソースの少なくとも一部の時間領域リソースを含む
ことを特徴とする無線通信方法。
【請求項２】
前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、  少なくとも１セットの下り物理リソースで測定されたチャネル状態情報のうちの少なくとも１つを含む
ことを特徴とする請求項１に記載の無線通信方法。
【請求項３】
前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む
ことを特徴とする請求項２に記載の無線通信方法。
【請求項４】
前記伝送パラメータは、
伝送時間間隔ＴＴＩ、
サブキャリア間隔のうちの少なくとも１つを含む
ことを特徴とする請求項１〜３のいずれか１項に記載の無線通信方法。
【請求項５】
前記第１の上りチャネルが第１の上り共有チャネルであり、
又は、
前記第１の上りチャネルが第１の上り制御チャネルである
ことを特徴とする請求項１〜４のいずれか１項に記載の無線通信方法。
【請求項６】
確定された前記第１の時間ユニットに伝送されるチャネルは、第１の上りチャネル、及び／又は前記第１の上りチャネルの以外の第２の上り制御チャネルを含む
ことを特徴とする請求項１〜５のいずれか１項に記載の無線通信方法。
【請求項７】
確定された、前記第１の時間ユニットに伝送されるメッセージは、前記第１の上り制御情報又は第１のメッセージを含み、前記第１のメッセージは、前記第１の上り制御情報が示す内容に関連する内容を含む
ことを特徴とする請求項１〜６のいずれか１項に記載の無線通信方法。
【請求項８】
第１の確定ユニットと第２の確定ユニットを含む端末デバイスであって、
前記第１の確定ユニットは、第１の時間ユニットにおいてネットワークデバイスに第１の上り制御情報及び第１の上りチャネルを送信する必要があると確定するように構成され、
前記第１の上りチャネルは、前記第１の上り制御情報の以外の他の情報を搬送し、前記第１の上りチャネルを送信する時間領域リソースは、前記第１の上り制御情報を送信する時間領域リソースの少なくとも一部の時間領域リソースを含む、
前記第２の確定ユニットは、前記第１の上り制御情報に対応する伝送パラメータ及び前記第１の上りチャネルの伝送パラメータに基づいて、前記第１の時間ユニットに伝送されるチャネル及び/又は情報を確定するように構成される
ことを特徴とする端末デバイス。
【請求項９】
前記第１の上り制御情報は、
少なくとも１つの上り論理チャネルに対応するスケジューリング要求情報、
少なくとも１つの下り物理チャネルに対応する確定/否定応答ＡＣＫ／ＮＡＣＫ情報、  少なくとも１セットの下り物理リソースで測定されたチャネル状態情報のうちの少なくとも１つを含む
ことを特徴とする請求項８に記載の端末デバイス。
【請求項１０】
前記第１の上り制御情報に対応する伝送パラメータは、
前記少なくとも１つの上り論理チャネルの伝送パラメータ、
前記少なくとも１つの下り物理チャネルの伝送パラメータ、
前記少なくとも１セットの下り物理リソースの伝送パラメータのうちの少なくとも１つを含む
ことを特徴とする請求項９に記載の端末デバイス。
【請求項１１】
前記伝送パラメータは、
伝送時間間隔ＴＴＩ、
サブキャリア間隔のうちの少なくとも１つを含む
ことを特徴とする請求項８〜１０のいずれか１項に記載の端末デバイス。
【請求項１２】
前記第１の上りチャネルが第１の上り共有チャネルであり、又は、
前記第１の上りチャネルが第１の上り制御チャネルである
ことを特徴とする請求項８〜１１のいずれか１項に記載の端末デバイス。
【請求項１３】
確定された前記第１の時間ユニットに伝送されるチャネルは、第１の上りチャネル、及び／又は前記第１の上りチャネルの以外の第２の上り制御チャネルを含む
ことを特徴とする請求項８〜１２のいずれか１項に記載の端末デバイス。
【請求項１４】
確定された、前記第１の時間ユニットに伝送されるメッセージは、前記第１の上り制御情報又は第１のメッセージを含み、前記第１のメッセージは、前記第１の上り制御情報が示す内容に関連する内容を含む
ことを特徴とする請求項８〜１３のいずれか１項に記載の端末デバイス。
【国際調査報告】
2020526060.tif 000014
2020526060.tif 000015
2020526060.tif 000016
2020526060.tif 000017